(57)【要約】【課題】有機ＥＬ素子の持つ容量への充放電の回数を削減することにより、消費電力の増大を抑制することができる有機ＥＬ素子の駆動装置および駆動方法を提供する。【解決手段】第１のロウ電極は、ロウ電圧ＶR1（Ｖ）がＧＮＤレベルのときに選択されて、リセット状態、発光状態、非発光状態の順序で駆動される。第２のロウ電極は、ロウ電圧ＶR2（Ｖ）がＧＮＤレベルのときに選択されて、非発光状態、リセット状態、発光状態の順序で駆動される。第３のロウ電極は、ロウ電圧ＶR3（Ｖ）がＧＮＤレベルのときに選択されて、発光状態、非発光状態の順序で駆動される。第１ないし第３のロウ電極に対応する選択期間３つ分に相当する期間を１ブロックとして、３ロウ電極毎に１ブロックを繰り返して有機ＥＬ素子を駆動する。【選択図】図１
2007219135.tif 000002
【特許請求の範囲】
【請求項１】
マトリクス状に配された複数の走査線と信号線との各交差部に設けられた電流駆動型の表示素子の駆動方法であって、前記複数の走査線の各選択期間中に、前記表示素子の発光状態と非発光状態とを時分割で切り換えながら前記表示素子を駆動する電流駆動型の表示素子の駆動方法において、
連続して選択される２つの走査線のうち、最初に選択される走査線の選択期間の最後を非発光状態とする場合は、次に選択される走査線の選択期間の最初も非発光状態となる一方、最初に選択される走査線の選択期間の最後を発光状態とする場合は、次に選択される走査線の選択期間の最初も発光状態となるように前記表示素子を駆動することを特徴とする電流駆動型の表示素子の駆動方法。
【請求項２】
選択期間の最初を発光状態とする場合は、該選択期間に表示素子の発光準備状態であるリセット状態を設けないように表示素子を駆動する一方、該選択期間以外の各選択期間の発光状態の直前には、前記リセット状態を設けるように表示素子を駆動することを特徴とする請求項１に記載の電流駆動型の表示素子の駆動方法。
【請求項３】
連続して選択される３つの走査線のうち、最初に選択される走査線の選択期間には、前記リセット状態、前記発光状態、前記非発光状態の順に表示素子を駆動し、その次に選択される走査線の選択期間には、非発光状態、リセット状態、発光状態の順に表示素子を駆動し、最後に選択される走査線の選択期間には、発光状態、非発光状態の順に表示素子を駆動することを特徴とする、請求項２に記載の電流駆動型の表示素子の駆動方法。
【請求項４】
連続して選択される前記３つの走査線に対応する選択期間３つ分に相当する期間を１ブロックとして、３走査線毎に１ブロックを繰り返して表示素子を駆動することを特徴とする請求項３に記載の電流駆動型の表示素子の駆動方法。
【請求項５】
連続して選択される２つの走査線のうち、最初に選択される走査線の選択期間には、非発光状態、リセット状態、発光状態の順に表示素子を駆動し、その次に選択される走査線の選択期間には、発光状態、非発光状態の順に表示素子を駆動することを特徴とする請求項２に記載の電流駆動型の表示素子の駆動方法。
【請求項６】
連続して選択される前記２つの走査線に対応する選択期間２つ分に相当する期間を１ブロックとして、２走査線毎に１ブロックを繰り返して表示素子を駆動することを特徴とする請求項５に記載の電流駆動型の表示素子の駆動方法。
【請求項７】
発光状態の直前に設けられる前記リセット状態では、前記表示素子の持つ容量に蓄積された電荷を放電するように表示素子を駆動することを特徴とする請求項２に記載の電流駆動型の表示素子の駆動方法。
【請求項８】
発光状態の直前に設けられる前記リセット状態では、前記表示素子を発光させない状態で前記表示素子の持つ容量を第１の電位に充電するように表示素子を駆動することを特徴とする請求項２に記載の電流駆動型の表示素子の駆動方法。
【請求項９】
前記リセット状態における前記第１の電位は、前記表示素子の閾値電圧以上の値に設定されていることを特徴とする請求項８に記載の電流駆動型の表示素子の駆動方法。
【請求項１０】
前記非発光状態では、選択期間中の前記発光素子を前記表示素子の閾値電圧を越えない第２の電位に充電するように表示素子を駆動することを特徴とする請求項９に記載の電流駆動型の表示素子の駆動方法。
【請求項１１】
前記最初に選択される走査線の選択期間の最後の非発光状態から、前記次に選択される走査線の選択期間の最初の非発光状態へ移行するとき、前記走査線を駆動する走査線駆動回路の駆動状態および前記信号線を駆動する信号線駆動回路の駆動状態を、該移行の前後で変化させずにそのまま維持することを特徴とする請求項１に記載の電流駆動型の表示素子の駆動方法。
【請求項１２】
前記発光状態では、前記表示信号に含まれる輝度階調成分に応じたパルス幅変調制御に基づいて、駆動電流を前記表示素子に供給することを特徴とする請求項１に記載の電流駆動型の表示素子の駆動方法。
【請求項１３】
前記表示素子は、有機エレクトロルミネッセンス素子であって、該有機エレクトロルミネッセンス素子のアノード電極が前記信号線に接続され、カソード電極が前記走査線に接続されていることを特徴とする請求項１に記載の電流駆動型の表示素子の駆動方法。
【請求項１４】
マトリクス状に配された複数の走査線と信号線との各交差部に設けられた電流駆動型の表示素子の駆動装置であって、前記複数の走査線の各選択期間に、前記表示素子の発光状態と非発光状態とが実行される電流駆動型の表示素子の駆動装置において、
連続して選択される２つの走査線のうち、最初に選択される走査線の選択期間の最後を非発光状態とする場合は、次に選択される走査線の選択期間の最初も非発光状態となる一方、最初に選択される走査線の選択期間の最後を発光状態とする場合は、次に選択される走査線の選択期間の最初も発光状態となるように前記表示素子を駆動する制御手段を備えることを特徴とする電流駆動型の表示素子の駆動装置。
【請求項１５】
請求項１４に記載の駆動装置の動作を制御する制御プログラムであって、コンピュータを上記制御手段として機能させる制御プログラム。
【発明の詳細な説明】
【技術分野】
【０００１】
本発明は、有機エレクトロルミネッセンスディスプレイ（ＥＬＤ：Electro Luminescence Display）やフィールドエミッションディスプレイ（ＦＥＤ：Field Emission Display）等の電流駆動型の表示素子の駆動装置および駆動方法に関するものである。
【背景技術】
【０００２】
近年、有機ＥＬＤやＦＥＤ等の電流駆動型の発光素子の研究開発が活発に行われている。特に有機ＥＬＤは、低電圧・低消費電力で発光可能なディスプレイとして、携帯電話やＰＤＡ（Personal Digital Assistants）など携帯機器用として注目されている。
【０００３】
有機ＥＬＤの駆動法としては、パッシブマトリクス（ＰＭ）駆動法（単純マトリクス駆動法ともいう）と、アクティブマトリクス（ＡＭ）駆動法とがある。アクティブマトリクス駆動法は、走査電極（カラム電極）と信号電極（ロウ電極）とのマトリクス電極構造において、マトリクスの各交差部に配された画素にアクティブ素子（トランジスタ）とキャパシタとを配置し、画素ごとにオンとオフとを切り替えて、有機ＥＬ素子を駆動することにより表示制御を行うものである。
【０００４】
アクティブマトリクス駆動法は、パッシブマトリクス駆動法に比べて、反応速度が速く、残像が少なく、さらに視野角も広いなど、性能の点では優れている反面、製造コストが高いなどの問題がある。
【０００５】
これに対し、パッシブマトリクス駆動法は、水平方向と垂直方向に電流を流す導線として、走査電極と信号電極とをマトリクス状に配置し、各交差部に有機ＥＬ素子を設け、これらの導線にタイミングよく電圧パルスを印加することで、有機ＥＬ素子を駆動し、表示制御を行うものである。
【０００６】
パッシブマトリクス駆動法は、アクティブマトリクス駆動法に比べ、電極の数が少なく、構造も単純なため、該駆動法を適用した表示装置の製造が容易で歩留りが高い。このため、パッシブマトリクス駆動法を利用した製品は、アクティブマトリクス駆動法を利用した製品に比べて一般に安価な表示装置が製造できるという利点がある。
【０００７】
パッシブマトリクス駆動法の大きな課題としては、数百ｎｍというきわめて薄い有機ＥＬ膜を走査電極と信号電極とで挟み込むことで形成されるため、有機ＥＬ素子に大きな接合（寄生）容量が発生し、この接合容量を如何に早く充電できるかということが挙げられる。
【０００８】
ところで、パッシブマトリクス駆動法では、上述したような電流駆動方式の他に、ロウドライバ回路から各表示素子に所定の電圧を印加して駆動する電圧駆動方式も知られている。
【０００９】
しかしながら、表示素子として有機ＥＬ素子を適用した場合にあっては、ダイオード型の表示素子と接合容量（図示せず）とが並列に接続された構成を有し、且つ各有機ＥＬ素子がカラム電極に並列接続されているため、その接合容量の総和が大きくなるとともに、カラム電極の配線容量も付加されることになる。したがって、電圧駆動方式で有機ＥＬ素子を駆動した場合、有機ＥＬ素子の駆動状態に遅延が生じたり、ロウドライバ回路からの距離に応じて電圧降下が生じて、例えば、表示パネルの上方領域と下方領域とで発光の状態（輝度）にバラツキが生じて、表示画質の劣化を招くという問題を有している。
【００１０】
そのため、有機ＥＬ素子を表示素子に適用した表示装置では、電圧駆動方式に比較して、電流駆動方式が優位であると考えられる。
【００１１】
さらに、有機ＥＬ素子の輝度−電圧特性は非線形であるため、僅かな電圧の違いで輝度が大きく変動する。また、駆動時間や素子の周囲温度などよって容易に特性曲線が変動してしまうため、電圧制御型の駆動方法では輝度のバラツキを抑えることが非常に困難である。一方、有機ＥＬ素子の輝度−電流特性は比例関係にあり、周囲温度による影響も少ないため、電流による輝度の制御は容易である。したがって、有機ＥＬ素子の駆動方式としては電流制御型が好ましい。
【００１２】
有機ＥＬ素子のパッシブマトリクス駆動法は、たとえば、特許文献１（特開平１１-３１１９７８）に開示されている。
【００１３】
この特許文献１に記載された有機ＥＬ素子のパッシブマトリクス駆動法を、図１９ないし図２２を参照して説明する。なお、ここでは、連続して選択される３つの走査線であるロウ電極Ｒ１ないしＲ３の選択期間に着目して説明する。
【００１４】
図２０に示すロウドライバ回路１１２は、所定のタイミングで各ロウ電極（走査線）Ｒに走査選択信号（パルス信号）を印加して各行の有機ＥＬ素子ＯＥＬを順次選択状態に走査し、カラムドライバ回路１１１は、ロウドライバ回路１１２による走査に同期して、カラム電極（信号線）Ｃを介して各有機ＥＬ素子（表示素子）に駆動電流を供給するように構成されている。
【００１５】
図２０の状態１は、リセット状態を示している。この状態１は、特許文献１に特徴的な動作であり、すべてのロウ電極(走査線)Ｒを接地することによって、逆バイアス状態に充電されていた有機ＥＬ素子の接合容量を、ロウ電極Ｒを通じて放電させている。
【００１６】
図２０の状態２は、発光状態を示している。この発光状態では、カラム電極Ｃ１を定電流源ＣＳに接続するとともに、選択されるロウ電極Ｒ１以外のロウ電極Ｒ２、Ｒ３…を電位VR-Highに引き上げることによって、カラム電極Ｃ１とロウ電極Ｒ１との交差部に配される有機ＥＬ素子ＯＥＬ（Ｃ１，Ｒ１）の接合容量が迅速に充電される。このとき、カラム電極Ｃ１は定電流源ＣＳに接続され、ロウ電極Ｒ１は接地されているので、有機ＥＬ素子ＯＥＬ（Ｃ１，Ｒ１）に所定の電流が流れ、発光する。
【００１７】
図２０の状態３は、非発光状態を示している。この非発光状態では、カラム電極Ｃ１を接地することによって、有機ＥＬ素子の接合容量に蓄積されていた電荷が放電され、有機ＥＬ素子ＯＥＬ（Ｃ１，Ｒ１）は、非発光状態となる。
【００１８】
図２１の状態４は、前記状態１と同様に、リセット状態を示している。すなわち、すべてのロウ電極Ｒ１、Ｒ２…を接地することによって、逆バイアス状態に充電されていた有機ＥＬ素子ＯＥＬ（Ｃ１，Ｒ１）の接合容量を放電し、リセット状態としている。
【００１９】
以上のように、特許文献１の駆動方法によれば、ロウ電極（走査線）Ｒが順次選択される毎に、上記の図２０に示す状態１ないし状態３（陰極リセット状態、発光状態、非発光状態）の駆動操作が繰り返される。
【００２０】
図２１の状態５は、有機ＥＬ素子ＯＥＬ（Ｃ１，Ｒ２）の発光状態を示し、図２２の状態８は、有機ＥＬ素子ＯＥＬ（Ｃ１，Ｒ３）の発光状態を示している。
【００２１】
なお、図２１の状態５（発光状態）、状態６（非発光状態）および図２２の状態７（陰極リセット状態）、状態８（発光状態）、状態９（非発光状態）については、図２０の状態２（発光状態）、状態３（非発光状態）、および図２０の状態１（陰極リセット状態）、状態２（発光状態）、状態３（非発光状態）と同様であるため説明は省略する。
【００２２】
ここで、上記特許文献１の駆動方法における階調特性の取り方を、図２０ないし図２２の状態１ないし状態９（陰極リセット状態、発光状態、非発光状態）を参照し説明する。図２０ないし図２２の各発光期間（状態２、状態５、状態８の各期間）が増加する（長くなる）毎に非発光期間（状態３、状態６、状態９の期間）は、それぞれ発光期間の増加分だけ減少する。したがって、この場合、前記発光期間が増加する程、輝度も増加し、高階調となる。逆に、発光期間（状態２、状態５、状態８の各期間）が減少する（短くなる）毎に非発光期間（状態３、状態６、状態９の各期間）は、それぞれ発光期間の減少分だけ増加する。したがって、この場合、前記発光期間が減少する程、輝度も減少し、低階調となる。
【００２３】
図１９は、上記の特許文献１の駆動方法に係るタイミングチャートを示している。同図のタイミングチャートに示すＴ１、Ｔ２、Ｔ３は、それぞれ陰極リセット状態（状態１）、発光状態（状態２）、非発光状態（状態３）に対応している。このタイミングチャートに示すように、カラム電極Ｃ１には、カラム電圧ＶＣ１（Ｖ）が印加され、ロウ電圧Ｒ１、Ｒ２、Ｒ３には、それぞれＶＲ１、ＶＲ２、ＶＲ３が印加される。また、有機ＥＬ素子ＯＥＬ（Ｃ１，Ｒ１）、（Ｃ１，Ｒ２）、（Ｃ１，Ｒ３）に流れる駆動電流Ｉ（Ａ）をそれぞれ、Ｉ（Ｃ１，Ｒ１）、Ｉ（Ｃ１，Ｒ２）、Ｉ（Ｃ１，Ｒ３）で示している。
【００２４】
特許文献１の駆動方法においては、連続して順次選択されるロウ電極Ｒ１ないしＲ３における有機ＥＬ素子の駆動は、ロウ電極Ｒ１が選択された場合の状態１ないし状態３（陰極リセット状態、発光状態、非発光状態）と同様の駆動動作をロウ電極Ｒ１〜Ｒ３を切り換えて３回繰り返すことにより実行される。
【００２５】
図１９は、上記の特許文献１の駆動方法に係るタイミングチャートを示している。同図のタイミングチャートに示すＴ１、Ｔ２、Ｔ３は、それぞれ陰極リセット状態（状態１）、発光状態（状態２）、非発光状態（状態３）に対応している。このタイミングチャートに示すように、特許文献１の駆動方法においては、連続して順次選択されるロウ電極Ｒ１ないしＲ３における有機ＥＬ素子の駆動は、ロウ電極Ｒ１が選択された場合の状態１ないし状態３（陰極リセット状態、発光状態、非発光状態）の駆動動作を３回繰り返すことにより実行される。
【００２６】
ところで、有機ＥＬ素子の他のパッシブマトリクス駆動法が、特許文献２（特開２００４−４５４８８）に開示されている。
【００２７】
図２４に示すカラムドライバ回路２１１は、各カラム電極Ｃを、リセット状態（プリチャージ状態）ではプリチャージ電位である第１の電位Ｖpcの端子に接続し、非発光状態では、電位Ｖc-Lowの端子に接続するように切り換える点で、特許文献１のカラムドライバ回路１１１と異なっている。ロウドライバ回路２１２は、リセット状態ではすべてのロウ電極Ｒを電位VR-Highの端子に接続し、非発光状態では、選択線であるロウ電極を電位VR-Highの端子に接続するように切り換える点で、特許文献１のカラムドライバ回路１１１と異なっている。
【００２８】
この特許文献２に記載された有機ＥＬ素子のパッシブマトリクス駆動法を、図２３ないし図２６を参照して説明する。なお、ここでも、連続して選択される３つの走査線であるロウ電極Ｒ１ないしＲ３の選択期間に着目して説明する。
【００２９】
図２３は、上記の特許文献２の駆動方法に係るタイミングチャートを示している。同図のタイミングチャートに示すＴ１、Ｔ２、Ｔ３は、それぞれリセット状態（プリチャージ）状態（状態１）、発光状態（状態２）、非発光状態（状態３）に対応している。このタイミングチャートに示すように、カラム電極Ｃ１には、カラム電圧ＶＣ１（Ｖ）が印加され、ロウ電圧Ｒ１、Ｒ２、Ｒ３には、それぞれＶＲ１、ＶＲ２、ＶＲ３が印加される。また、有機ＥＬ素子ＯＥＬ（Ｃ１，Ｒ１）、（Ｃ１，Ｒ２）、（Ｃ１，Ｒ３）に流れる駆動電流Ｉ（Ａ）をそれぞれ、Ｉ（Ｃ１，Ｒ１）、Ｉ（Ｃ１，Ｒ２）、Ｉ（Ｃ１，Ｒ３）で示している。
【００３０】
図２４の状態１は、リセット状態（プリチャージ状態）を示している。このリセット状態では、カラム電極Ｃ１を電位Ｖpcに接続し、ロウ電極Ｒ１を電位VR-Highに接続することによって、有機ＥＬ素子ＯＥＬのアノード（陽極）側は電位Ｖpcに迅速に充電される。ここで、電位VR-Highは状態１において有機ＥＬ素子ＯＥＬに印加される電圧が閾値電圧を越えない電圧に設定されている。したがって、カラム電極Ｃ１とロウ電極Ｒ１との交差部に配される有機ＥＬ素子ＯＥＬ（Ｃ１，Ｒ１）は発光しない。
【００３１】
すなわち、電位VR-Highは、下記の式（１）を満たすように設定される。
【００３２】
Ｖth ＞ Ｖpc − VR-High                          …（１）
式（１）中、Ｖthは、有機ＥＬ素子の閾値電圧であり、電位Ｖpcは、有機ＥＬ素子ＯＥＬの接合容量を充電する第１の電位であり、Ｖthを越える値に設定されている。
【００３３】
図２４の状態２は、発光状態を示している。この状態２は、カラム電極Ｃ１とロウ電極Ｒ１との交差部に配される有機ＥＬ素子ＯＥＬ（Ｃ１，Ｒ１）が点灯している状態を示しており、選択線であるロウ電極Ｒ１は接地される一方、非選択線であるロウ電極Ｒ１以外のロウ電極Ｒ２、Ｒ３、…は電位VR-Highに引き上げられたままの状態で維持される。一方、カラム電極Ｃ１は定電流源ＣＳに接続され、所定の電流が流れる電位になっている。したがって、状態２では、カラム電極Ｃ１とロウ電極Ｒ１との交差部に配される有機ＥＬ素子ＯＥＬ（Ｃ１，Ｒ１）は、順バイアス状態となっているため発光し、それ以外の有機ＥＬ素子は逆バイアス状態となっているため非発光となる。
【００３４】
図２４の状態３は、非発光状態を示している。この非発光状態では、選択されていたロウ電極Ｒ１を電位VR-Highに引き上げ、カラム電極Ｃ１がＶc-Lowに接続されることによって、有機ＥＬ素子ＯＥＬ（Ｃ１，Ｒ１）の接合容量に蓄積されていた電荷を放電し、有機ＥＬ素子ＯＥＬ（Ｃ１，Ｒ１）を非発光状態としている。ここで、Ｖc-Lowは、有機ＥＬ素子ＯＥＬの閾値電圧を越えない電位に設定されている。
【００３５】
図２５の状態４は、図２４の状態１と同様に、ロウ電極Ｒ２が電位VR-Highに接続された状態で、カラム電極Ｃ１を電位Ｖpcに接続することで、有機ＥＬ素子ＯＥＬ（Ｃ１，Ｒ２）の陰極側を電位Ｖpcに迅速に充電してリセット状態（プリチャージ状態）とする。
【００３６】
以上のように、特許文献２の駆動方法によれば、ロウ電極（走査線）Ｒが順次選択される毎に、上記の図２４に示す状態１ないし状態３（リセット状態、発光状態、非発光状態）の駆動操作が繰り返される。
【００３７】
図２５の状態５は、有機ＥＬ素子ＯＥＬ（Ｃ１，Ｒ２）の発光状態を示し、図２６の状態８は、有機ＥＬ素子ＯＥＬ（Ｃ１，Ｒ３）の発光状態を示している。
【００３８】
なお、図２５の状態５（発光状態）、状態６（非発光状態）および図２６の状態７（リセット状態）、状態８（発光状態）、状態９（非発光状態）については、それぞれ図２４の状態２（発光状態）、状態３（非発光状態）、および図２４の状態１（リセット状態）、状態２（発光状態）、状態３（非発光状態）と同様であるため説明は省略する。
【００３９】
ここで、上記特許文献２の駆動方法における階調特性の取り方を図２４ないし図２６の状態１ないし状態９（リセット状態、発光状態、非発光状態）を参照し説明する。特許文献１の駆動方法の場合と同様に、図２４ないし図２６の各発光期間（状態２、状態５、状態８の各期間）が増加する（長くなる）毎に非発光期間（状態３、状態６、状態９の期間）は、それぞれ発光期間の増加分だけ減少する。したがって、この場合、前記発光期間が増加する程、輝度も増加し、高階調となる。逆に、発光期間（状態２、状態５、状態８の各期間）が減少する（短くなる）毎に非発光期間（状態３、状態６、状態９の各期間）は、それぞれ発光期間の減少分だけ増加する。したがって、この場合、前記発光期間が減少する程、輝度も減少し、低階調となる。
【００４０】
図２３は、上記の特許文献２の駆動方法に係るタイミングチャートを示している。同図のタイミングチャートに示すＴ１、Ｔ２、Ｔ３は、それぞれリセット状態（状態１）、発光状態（状態２）、非発光状態（状態３）に対応している。このタイミングチャートに示すように、特許文献２の駆動方法においては、特許文献１の駆動方法と同様に、連続して順次選択されるロウ電極Ｒ１ないしＲ３における有機ＥＬ素子の駆動は、ロウ電極Ｒ１が選択された場合の状態１ないし状態３（陰極リセット状態、発光状態、非発光状態）と同様の駆動動作をロウ電極Ｒ１〜Ｒ３を切り換えて３回繰り返すことにより実行される。
【特許文献１】特開平１１−３１１９７８号公報（１９９９年１１月０９日公開）
【特許文献２】特開２００４−４５４８８号公報（２００４年０２月１２日公開）
【発明の開示】
【発明が解決しようとする課題】
【００４１】
上記の特許文献１、特許文献２に記載されている有機ＥＬ素子の駆動方法によれば、有機ＥＬ素子の接合容量を迅速に充電でき、かつ良好な表示装置を得ることができる。
【００４２】
しかしながら、上記の従来技術の駆動法では、各ロウ電極（走査線）が選択される毎に接合容量の充放電を交互に繰り返し行なう必要がある。したがって、充放電を行なう毎に、接合容量を通して、下記式（２）で表される電流Ｉが流れることになる。
【００４３】
Ｉ＝Ｃ×（ｄＶ／ｄｔ）                                …（２）
上記式（２）中、Ｃは接合容量値を表し、ｄＶ／ｄｔは接合容量に印加される単位時間当たりの電圧変化を表している。
【００４４】
このため、従来の有機ＥＬ素子等の電流駆動型の表示素子の駆動方法では、消費電力が大きくなるといった問題があった。したがって、表示装置の消費電力の抑制を実現するためには、表示素子の持つ容量への充放電の回数をできるだけ少なくする必要がある。
【００４５】
本発明は、上記従来の問題点に鑑みてなされたものであって、表示素子の持つ容量への充放電の回数を削減することにより、消費電力の増大を抑制することができる電流駆動型の表示素子の駆動装置および駆動方法を提供することを目的としている。
【課題を解決するための手段】
【００４６】
本発明の電流駆動型の表示素子の駆動方法は、上記課題を解決するために、マトリクス状に配された複数の走査線と信号線との各交差部に設けられた電流駆動型の表示素子の駆動方法であって、前記複数の走査線の各選択期間中に、前記表示素子の発光状態と非発光状態とを時分割で切り換えながら前記表示素子を駆動する電流駆動型の表示素子の駆動方法において、連続して選択される２つの走査線のうち、最初に選択される走査線の選択期間の最後を非発光状態とする場合は、次に選択される走査線の選択期間の最初も非発光状態となる一方、最初に選択される走査線の選択期間の最後を発光状態とする場合は、次に選択される走査線の選択期間の最初も発光状態となるように前記表示素子を駆動することを特徴としている。
【００４７】
上記構成によれば、連続して選択される２つの走査線のうち、最初に選択される走査線の選択期間において、最後が非発光状態の場合は、次に選択される走査線の選択期間の最初も非発光状態となる。また、最初に選択される走査線の選択期間の最後が発光状態の場合は、次に選択される走査線の選択期間の最初も発光状態となる。このように表示素子を駆動することにより、一の走査線の選択期間の非発光状態から次に選択される走査線の選択期間の非発光状態へ移行する際、および一の走査線の選択期間の発光状態から次に選択される走査線の選択期間の発光状態へ移行する際、表示素子の持つ容量への充放電を省略することができる。この結果、表示素子の駆動時における表示素子の持つ容量への充放電回数を削減することができ、ひいては表示素子駆動時の消費電力の増大を抑制することができる。
【００４８】
上記の電流駆動型の表示素子の駆動方法は、選択期間の最初を発光状態とする場合は、該選択期間に表示素子の発光準備状態であるリセット状態を設けないように表示素子を駆動する一方、該選択期間以外の各選択期間の発光状態の直前には、前記リセット状態を設けるように表示素子を駆動する構成とすることが望ましい。
【００４９】
上記の構成によれば、最初に発光状態が実行される走査線の選択期間では、表示素子の発光準備状態であるリセット状態への切り替えを省略することができる。このため、例えば、全ての走査線を接地することによって、逆バイアス状態に充電されていた表示素子の容量を放電させてリセットする等の動作が不要となる。さらに、上記表示素子を発光状態とする期間に先立って、表示素子を充電する必要もない。この結果、さらなる消費電力の抑制を図ることができる。
【００５０】
上記の電流駆動型の表示素子の駆動方法は、連続して選択される３つの走査線のうち、最初に選択される走査線の選択期間には、前記リセット状態、前記発光状態、前記非発光状態の順に表示素子を駆動し、その次に選択される走査線の選択期間には、非発光状態、リセット状態、発光状態の順に表示素子を駆動し、最後に選択される走査線の選択期間には、発光状態、非発光状態の順に表示素子を駆動する構成とすることが望ましい。
【００５１】
上記の構成によれば、連続して選択される３つの走査線のうち、最初に選択される走査線の選択期間の非発光期間から２番目に選択される走査線の選択期間の非発光期間へ移行する際、および２番目に選択される選択期間の発光期間から３番目に選択される走査線の選択期間の発光期間へ移行する際に、選択期間中の表示素子の容量の充放電の繰り返しを減少させることができる。この結果、従来の構成に比べ、走査線を駆動する走査駆動回路および信号線を駆動する信号駆動回路の駆動頻度を減少させることができ、消費電力の抑制を図ることができる。
【００５２】
上記の電流駆動型の表示素子の駆動方法は、連続して選択される前記３つの走査線に対応する選択期間３つ分に相当する期間を１ブロックとして、３走査線毎に１ブロックを繰り返して表示素子を駆動する構成とすることが望ましい。
【００５３】
上記の構成によれば、各走査線毎に同じ駆動操作を繰り返す従来の駆動方法に比べ、信号駆動回路及び走査駆動回路の走査回数を削減することができる。この結果、選択期間中の表示素子の容量の充放電の回数を削減でき、消費電力の抑制を図ることができる。
【００５４】
上記の電流駆動型の表示素子の駆動方法は、連続して選択される２つの走査線のうち、最初に選択される走査線の選択期間には、非発光状態、リセット状態、発光状態の順に表示素子を駆動し、その次に選択される走査線の選択期間には、発光状態、非発光状態の順に表示素子を駆動する構成とすることが望ましい。
【００５５】
上記の構成によれば、連続して選択される２つの走査線のうち、最初に選択される走査線の選択期間の発光期間から次に選択される走査線の選択期間の発光期間へ移行する際のスイッチ動作が不要となる。このため、選択期間中の表示素子の容量の充放電の繰り返しを減少させることができる。この結果、従来の構成に比べ、走査線を駆動する走査駆動回路および信号線を駆動する信号駆動回路の駆動頻度を減少させることができ、消費電力の抑制を図ることができる。
【００５６】
上記の電流駆動型の表示素子の駆動方法は、連続して選択される前記２つの走査線に対応する選択期間２つ分に相当する期間を１ブロックとして、２走査線毎に１ブロックを繰り返して表示素子を駆動する構成とすることが望ましい。
【００５７】
上記の構成によれば、各走査線毎に同じ駆動操作を繰り返す従来の駆動方法に比べ、信号駆動回路及び走査駆動回路の駆動回数を削減することができる。この結果、選択期間中の表示素子の容量の充放電の回数を削減でき、消費電力の抑制を図ることができる。
【００５８】
上記の電流駆動型の表示素子の駆動方法は、発光状態の直前に設けられる前記リセット状態では、前記表示素子の持つ容量に蓄積された電荷を放電するように表示素子を駆動する構成としてもよい。
【００５９】
上記の電流駆動型の表示素子の駆動方法は、発光状態の直前に設けられる前記リセット状態では、前記表示素子を発光させない状態で前記表示素子の持つ容量を第１の電位に充電するように表示素子を駆動する構成としてもよい。
【００６０】
上記の電流駆動型の表示素子の駆動方法は、前記最初に選択される走査線の選択期間の最後の非発光状態から、前記次に選択される走査線の選択期間の最初の非発光状態へ移行するとき、前記走査線を駆動する走査線駆動回路の駆動状態および前記信号線を駆動する信号線駆動回路の駆動状態を、該移行の前後で変化させずにそのまま維持する構成とすることが望ましい。
【００６１】
上記の構成によれば、一の走査線の選択期間から次に選択される走査線の選択期間への移行の際に、上記信号駆動回路の駆動状態および走査駆動回路の駆動状態は、変化させずにそのまま維持される。したがって、従来の駆動方法に比べて、信号駆動回路および走査駆動回路の操作回数を削減することができる。この結果、消費電力の低減を図ることができる。
【００６２】
上記の電流駆動型の表示素子の駆動方法は、前記リセット状態における前記第１の電位は、前記表示素子の閾値電圧以上の値に設定されていることが望ましい。
【００６３】
上記のように表示素子を駆動すれば、発光期間に先立って前記電流駆動型表示素子の容量を充電できるため、表示素子の選択期間における応答速度を向上させて、階調表示に必要な信号時間幅分の動作期間を確保することができ、表示画質の向上を図ることができる。
【００６４】
前記非発光状態では、選択期間中の前記発光素子を前記表示素子の閾値電圧を越えない第２の電位に充電するように表示素子を駆動する構成とすることが望ましい。
【００６５】
上記のように表示素子を駆動すれば、前記非発光期間において、に前記電流駆動型表示素子の容量の放電を行う際、電圧の振り幅を押さえることができるため、消費電力を抑制できる。
【００６６】
上記の電流駆動型の表示素子の駆動方法は、前記発光状態では、前記表示信号に含まれる輝度階調成分に応じたパルス幅変調制御に基づいて、駆動電流を前記表示素子に供給する構成としてもよい。
【００６７】
パルス振幅変調（ＰＡＭ）制御を行う場合には、輝度（電流）の振幅を変えることによって階調制御を行うため、表示信号によっては、最初に選択される走査線の最後の状態の駆動動作と、２番目に選択される走査線の最初の状態の駆動とが連続とならない、または３番目に選択される走査線の最後の駆動と、３番目に選択される走査線の最初の状態の駆動も連続とならない場合がある。
【００６８】
したがって、輝度（電流）の振幅が表示信号に依存せず、発光時間が表示信号に依存するパルス幅変調（ＰＷＭ）制御を用いることが好適である。
【００６９】
前記表示素子は、有機エレクトロルミネッセンス素子を用いることができ、該有機エレクトロルミネッセンス素子のアノード電極が前記信号線に接続され、カソード電極が前記走査線に接続されている構成とすることが望ましい。
【００７０】
本発明の電流駆動型の表示素子の駆動装置は、上記課題を解決するために、マトリクス状に配された複数の走査線と信号線との各交差部に設けられた電流駆動型の表示素子の駆動装置であって、前記複数の走査線の各選択期間に、前記表示素子の発光状態と非発光状態とが実行される電流駆動型の表示素子の駆動装置において、連続して選択される２つの走査線のうち、最初に選択される走査線の選択期間の最後を非発光状態とする場合は、次に選択される走査線の選択期間の最初も非発光状態となる一方、最初に選択される走査線の選択期間の最後を発光状態とする場合は、次に選択される走査線の選択期間の最初も発光状態となるように前記表示素子を駆動する制御手段を備えることを特徴としている。
【００７１】
上記構成によれば、連続して選択される２つの走査線のうち、最初に選択される走査線の選択期間において、最後が非発光状態の場合は、次に選択される走査線の選択期間の最初も非発光状態となる。また、最初に選択される走査線の選択期間の最後が発光状態の場合は、次に選択される走査線の選択期間の最初も発光状態となる。このように表示素子を駆動することにより、一の走査線の選択期間の非発光状態から次に選択される走査線の選択期間の非発光状態へ移行する際、および一の走査線の選択期間の発光状態から次に選択される走査線の選択期間の発光状態へ移行する際、表示素子の持つ容量への充放電を省略することができる。この結果、表示素子の駆動時における表示素子の持つ容量への充放電回数を削減することができ、ひいては表示素子駆動時の消費電力の増大を抑制することができる。
【００７２】
ところで、上記電流駆動型の表示素子の駆動装置は、ハードウェアで実現してもよいし、プログラムをコンピュータに実行させることによって実現してもよい。
【００７３】
具体的には、本発明の駆動装置の動作を制御する制御プログラムは、コンピュータを上記制御手段として機能させる制御プログラムである。
【発明の効果】
【００７４】
本発明によれば、以上のように、連続して選択される２つの走査線のうち、最初に選択される走査線の選択期間の最後を非発光状態とする場合は、次に選択される走査線の選択期間の最初も非発光状態となる一方、最初に選択される走査線の選択期間の最後を発光状態とする場合は、次に選択される走査線の選択期間の最初も発光状態となるように前記表示素子を駆動することにより、表示素子の駆動時における表示素子の持つ容量への充放電回数を削減することができ、ひいては表示素子駆動時の消費電力の増大を抑制することができるという効果を奏する。
【発明を実施するための最良の形態】
【００７５】
〔実施の形態１〕
本実施の形態に係る電流駆動型の表示素子の駆動装置および駆動方法を、図１ないし図５を参照しながら以下に説明する。
【００７６】
まず、本発明の実施の形態に係るパッシブマトリクス駆動方式の表示装置１の概略構成について、図５を参照して説明する。
【００７７】
同図に示すように、表示装置１は、表示パネル１０、カラムドライバ回路（信号線駆動回路）１１、ロウドライバ回路（走査線駆動回路）１２、および制御回路１３を備えている。
【００７８】
前記表示パネル１０には、複数のロウ電極（走査線）Ｒと複数のカラム電極（信号線）Ｃとがマトリクス状（格子状）に配設されており、これらのロウ電極Ｒとカラム電極Ｃとの各交差部には、一画素を構成する有機ＥＬ素子（表示素子）ＯＥＬが設けられている。有機ＥＬ素子ＯＥＬのアノード（陽極）側はカラム電極（信号線）Ｃに、有機ＥＬ素子ＯＥＬのカソード（陰極）側はロウ電極（走査線）Ｒにそれぞれ接続されている。
【００７９】
前記ロウドライバ回路１２は、所定のタイミングで各ロウ電極（走査線）Ｒに走査選択信号（パルス信号）を印加して各行の有機ＥＬ素子ＯＥＬを順次選択状態に走査し、カラムドライバ回路１１は、ロウドライバ回路１２による走査に同期して、カラム電極（信号線）Ｃを介して各有機ＥＬ素子（表示素子）に駆動電流を供給するように構成されている。
【００８０】
前記制御回路１３は、所望の画像データを表示パネル１０に表示させるための走査制御信号（同期信号）およびデータ制御信号（同期信号）並びに表示データを生成して、カラムドライバ回路１１およびロウドライバ回路１２の各々に供給する。
【００８１】
上記の構成を有する表示装置１は、ロウドライバ回路１２が、制御回路１３から供給される走査制御信号に基づいて、各行のロウ電極Ｒに走査信号を一定の走査期間、順次印加（線順次走査）するように構成されている。一方、カラムドライバ回路１１は、ロウドライバ回路１２の上記走査に同期して制御回路１３から供給されるデータ制御信号及び表示データに基づいて、上記一定の走査期間（選択期間）に、表示データに応じた所定の電流値を有する駆動電流を生成（電流指定型）もしくは、表示データに応じた信号時間幅（パルス信号幅）を有する一定電流値からなる駆動電流を生成して（パルス幅変調型）、各カラム電極（信号線）Ｃに同時に駆動電流を供給する。これにより、選択（走査）されているロウ電極（走査線）Ｒに接続されている各有機ＥＬ素子ＯＥＬが、画像データに応じた所定の輝度階調で発光する。このような動作を、表示パネル１０の画面分の各ロウ電極（走査線）Ｒについて順次繰り返すことにより、所望の画像データが表示パネル１０に表示される。
【００８２】
次に、本実施の形態に係る電流駆動型の表示素子の駆動方法について、図１ないし図４を参照しながら以下に説明する。本実施の形態では、あるカラム電極Ｃ１に着目するとともに、連続して選択される３つの走査線であるロウ電極Ｒ１ないしＲ３の選択期間に着目して説明する。なお、カラム電極Ｃ１以外のカラム電極Ｃ２、Ｃ３・・・Ｃｎも、カラム電極Ｃ１と同様に駆動されている（その説明は省略する）。
【００８３】
図１は、本実施の形態の駆動方法に係るタイミングチャートを示している。同図のタイミングチャートに示すＴ１、Ｔ２、Ｔ３、Ｔ４、Ｔ５、Ｔ６、Ｔ７、Ｔ８は、それぞれ陰極リセット状態（状態１）、発光状態（状態２）、非発光状態（状態３）、非発光状態（状態４）、陰極リセット状態（状態５）、発光状態（状態６）、発光状態（状態７）、非発光状態（状態８）に対応している。このタイミングチャートに示すように、カラム電極Ｃ１には、カラム電圧ＶＣ１（Ｖ）が印加され、ロウ電圧Ｒ１、Ｒ２、Ｒ３には、それぞれＶＲ１、ＶＲ２、ＶＲ３が印加される。また、有機ＥＬ素子ＯＥＬ（Ｃ１，Ｒ１）、（Ｃ１，Ｒ２）、（Ｃ１，Ｒ３）に流れる駆動電流Ｉ（Ａ）をそれぞれ、Ｉ（Ｃ１，Ｒ１）、Ｉ（Ｃ１，Ｒ２）、Ｉ（Ｃ１，Ｒ３）で示している。
【００８４】
本実施の形態の駆動方法においては、連続して順次選択されるロウ電極Ｒ１ないしＲ３における有機ＥＬ素子の駆動は、最初に選択されるロウ電極Ｒ１の選択期間では、陰極リセット状態、発光状態、非発光状態の順に駆動され、次に選択されるロウ電極Ｒ２の選択期間では、非発光状態、陰極リセット状態、発光状態の順に駆動され、ロウ電極Ｒ２の次に選択されるロウ電極Ｒ３の選択期間では、発光状態、非発光状態の順に駆動される。
【００８５】
以上のように、本実施の形態に係る有機ＥＬ素子の駆動方法は、連続して選択される３つのロウ電極（走査線）のうち、最初に選択されるロウ電極Ｒ１の選択期間には、前記陰極リセット状態、前記発光状態、前記非発光状態の順に有機ＥＬ素子を駆動し、次に選択されるロウ電極Ｒ２の選択期間には、非発光状態、陰極リセット状態、発光状態の順に有機ＥＬ素子を駆動し、ロウ電極Ｒ２の次に選択されるロウ電極Ｒ３の選択期間には、発光状態、非発光状態の順に有機ＥＬ素子を駆動することを特徴としている。
【００８６】
なお、図示していないが、ロウ電極Ｒ３の次に選択されるロウ電極Ｒ４の選択期間では、ロウ電極Ｒ１の選択期間と同様に、陰極リセット状態、発光状態、非発光状態の順に駆動され、ロウ電極Ｒ４の次に選択されるロウ電極Ｒ５の選択期間では、ロウ電極Ｒ２の選択期間と同様に、非発光状態、陰極リセット状態、発光状態の順に駆動され、ロウ電極Ｒ５の次に選択されるロウ電極Ｒ３の選択期間では、ロウ電極Ｒ３と同様に、発光状態、非発光状態の順に駆動される。
【００８７】
すなわち、本実施の形態にかかる駆動方法は、連続して選択される前記３つのロウ電極に対応する選択期間３つ分に相当する期間を１ブロックとして、３ロウ電極毎に１ブロックを繰り返して有機ＥＬ素子を駆動することを特徴としている。
【００８８】
以下に、本実施の形態の駆動方法における各状態について詳細に説明する。
【００８９】
図２の状態１は、表示素子の発光準備状態であるリセット状態（陰極リセット状態）を示している。このリセット状態では、すべてのロウ電極Ｒ１、Ｒ２、Ｒ３、…を接地することによって、有機ＥＬ素子ＯＥＬの陰極をリセットし、逆バイアス状態に充電されていた有機ＥＬ素子ＯＥＬの接合容量（容量）を放電させている。このリセット状態では、有機ＥＬ素子ＯＥＬは発光しない。
【００９０】
図２の状態２は、表示素子の発光状態を示している。この発光状態では、選択されるロウ電極Ｒ１以外のすべてのロウ電極Ｒ２、Ｒ３、Ｒ４…を電位VR-Highに引き上げる。且つ、カラム電極Ｃ１を定電流源ＣＳに接続する。これによって、カラム電極Ｃ１とロウ電極Ｒ１との交差部に配される有機ＥＬ素子ＯＥＬ（Ｃ１，Ｒ１）の接合容量が迅速に充電される。このとき、カラム電極Ｃ１は定電流源ＣＳに接続され、ロウ電極Ｒ１は接地されているので、カラム電極Ｃ１とロウ電極Ｒ１との交差部に配される有機ＥＬ素子ＯＥＬ（Ｃ１，Ｒ１）に所定の電流（駆動電流）が流れ、有機ＥＬ素子ＯＥＬ（Ｃ１，Ｒ１）が発光状態となる。
【００９１】
図２の状態３は、非発光状態を示している。この非発光状態では、カラム電極Ｃ１を接地することによって、有機ＥＬ素子ＯＥＬ（Ｃ１，Ｒ１）の接合容量に蓄積されていた電荷がカラム電極Ｃ１を介して放電され、有機ＥＬ素子ＯＥＬ（Ｃ１，Ｒ１）は、非発光状態となる。
【００９２】
すなわち、図２の状態１ないし状態３は、それぞれ有機ＥＬ素子ＯＥＬ（Ｃ１，Ｒ１）をリセット状態とした後、有機ＥＬ素子ＯＥＬ（Ｃ１，Ｒ１）の接合容量を充電して駆動電流が流れるようにして発光状態とし、続いて該接合容量に蓄積された電荷を放電して非発光状態とする操作であり、特許文献１に示されている駆動操作（図２０の状態１ないし状態３参照）と同様である。
【００９３】
一方、図３の状態４では、特許文献１の場合と異なり、直前に選択されたロウ電極Ｒ１の選択期間の最後に実行された状態３（非発光状態）が維持継続される。すなわち、次に選択されるロウ電極Ｒ２の選択期間の最初に、カラム電極Ｃ１とロウ電極Ｒ２との交差部に配置されている有機ＥＬ素子ＯＥＬ（Ｃ１，Ｒ２）を非発光状態とする駆動（表示素子の状態の維持駆動）が行われる。
【００９４】
そして、図３の状態５および状態６では、図２１に示す特許文献１の状態４および状態５と同様の駆動操作を行って、有機ＥＬ素子ＯＥＬ（Ｃ１，Ｒ２）の接合容量を放電してリセット（陰極リセット）状態（図３の状態５）とした後、該接合容量を充電し、有機ＥＬ素子ＯＥＬ（Ｃ１，Ｒ２）を発光状態（図３の状態６）としている。
【００９５】
図４の状態７は、発光状態を示している。この発光状態では、カラム電極Ｃ１を定電流源ＣＳに接続した状態で維持する一方、ロウ電極Ｒ２を電位VR-Highに引き上げ、且つロウ電極Ｒ３を接地することで、カラム電極Ｃ１とロウ電極Ｒ３との交差部に配置されている有機ＥＬ素子ＯＥＬ（Ｃ１，Ｒ３）を発光させている。
【００９６】
図４の状態８は、非発光状態を示している。この非発光状態では、カラム電極Ｃ１を接地することによって、有機ＥＬ素子ＯＥＬ（Ｃ１，Ｒ３）の接合容量に蓄積されている電荷をカラム電極Ｃ１を介して放電し、有機ＥＬ素子ＯＥＬ（Ｃ１，Ｒ３）を非発光状態としている。
【００９７】
本実施の形態に係る駆動方法では、上述した図２ないし図４に示す状態１ないし状態８の表示素子の駆動操作を１ブロックとして、連続して順次走査される３本のロウ電極毎に繰り返すことによって、有機ＥＬ素子ＯＥＬ（表示素子）を駆動している。したがって、ロウ電極Ｒ３の次に選択されるロウ電極Ｒ４では、図２の状態１から状態３と同様の駆動（リセット状態、発光状態、非発光状態となる駆動）が順に実行される。
【００９８】
ここで、階調特性の取り方を、図２の状態１ないし状態３（リセット状態、発光状態、非発光状態）、図３の状態４ないし状態６（非発光状態、リセット状態、発光状態）および図４の状態７、状態８（発光状態、非発光状態）を参照しながら説明する。図２ないし図４の発光期間（状態２、状態６、状態７の各期間）を増加する（期間が長くなる）と、非発光期間（状態３、状態４、状態８の各期間）は、それぞれ発光期間の増加分だけ減少する（期間が短くなる）。したがって、この場合、輝度が増加し、高階調となる。逆に、発光期間（状態２、状態６、状態７）を減少する（期間が短くなる）と、非発光状態（状態３、状態４、状態８）は、それぞれ発光期間の減少分だけ増加する（期間が長くなる）。したがって、この場合、輝度が減少し、低階調となる。
【００９９】
なお、本実施の形態および後述する実施の形態２ないし４の各構成において、黒表示時には、発光期間は存在しない。したがって、黒表示時においては、例えば、ロウ電極Ｒ１が選択されている場合、図２の状態１（リセット状態）の後、図２の発光状態（状態２）を省略して、非発光状態（状態３）へ移行することとなる。
【０１００】
本実施の形態に係る電流駆動型の表示素子の駆動方法は、特許文献１における駆動方法とは、図２１に示される特許文献１における状態４（リセット状態）、状態５（発光状態）、状態６（非発光状態）の状態の順序が異なり、且つ、図２２に示される特許文献１におけるリセット状態（状態７）が省略されているところも異なる。
【０１０１】
図２１の非発光状態（特許文献１の状態６）と、図３の非発光状態（状態４）とは、カラム電極Ｃ１とロウ電極Ｒ２との交差部に配置されている有機ＥＬ素子ＯＥＬ（Ｃ１，Ｒ２）を非発光としている点では同様の状態と言える。
【０１０２】
しかしながら、本実施の形態では、図２の状態３で既にカラム電極Ｃ１を接地しており、カラム電極Ｃ１に接続されている全ての有機ＥＬ素子ＯＥＬは、接合容量に蓄積されている電荷が放電されて非発光状態となっている。このため、図３の非発光状態（状態４）では、図２１の特許文献１の状態６のようにカラム電極Ｃ１をこの時点で接地して電荷を再度放電する必要がない。このため、図２のロウ電極Ｒ１の選択期間の非発光状態（状態３）から図３のロウ電極Ｒ２の選択期間の非発光状態（状態４）へ移行する際の、カラムドライバ回路１１およびロウドライバ回路１２の一切のスイッチング動作（駆動操作）が不要となる。
【０１０３】
これにより、一の走査線の選択期間の非発光状態から次に選択される走査線の選択期間の非発光状態へ移行する際、有機ＥＬ素子ＯＥＬ（表示素子）の持つ容量への充放電を省略することができる。
【０１０４】
さらに、図３のロウ電極Ｒ２の選択期間の発光状態（状態６）から図４のロウ電極Ｒ３の選択期間の発光状態（状態７）へ移行する際も、図３の状態６で既にカラム電極Ｃ１を定電流源ＣＳに接続しており、図４の状態７ではこの時点でのカラムドライバ回路１１のスイッチング動作（駆動操作）が不要となる。
【０１０５】
そして、図４のロウ電極Ｒ３の選択期間の最初に設けられた発光状態（状態７）の前にリセット状態を設ける必要がない。すなわち、特許文献１の駆動方法における図２２のリセット状態（状態７）への切り替えを省略することができる。これにより、全てのロウ電極Ｒを接地することによって、逆バイアス状態に充電されていた有機ＥＬ素子の接合容量を、ロウ電極を通じて放電させる必要がなく、また有機ＥＬ素子の放電後に改めて発光のための有機ＥＬ素子の充電をする必要もない。つまり、カラムドライバ回路１１およびロウドライバ回路１２のスイッチング動作（駆動操作）が不要となる。
【０１０６】
本実施の形態に係る有機ＥＬ素子の駆動方法は、選択期間の最初を発光状態とする場合は、該選択期間に有機ＥＬ素子の発光準備状態であるリセット状態を設けないように有機ＥＬ素子を駆動する一方、該選択期間以外の各選択期間の発光状態の直前には、前記リセット状態を設けるように有機ＥＬ素子を駆動する構成とすることが望ましい。
【０１０７】
上記の構成によれば、最初に発光状態が実行されるロウ電極の選択期間では、表示素子の発光準備状態であるリセット状態への切り替えを省略することができる。このため、例えば、全てのロウ電極を接地することによって、逆バイアス状態に充電されていた有機ＥＬ素子の接合容量を放電させてリセットする等の動作が不要となる。さらに、上記有機ＥＬ素子を発光状態とする期間に先立って、有機ＥＬ素子を充電する（プリチャージ）必要もない。この結果、さらなる消費電力の抑制を図ることができる。
【０１０８】
すなわち、一の走査線の選択期間の発光状態から次に選択される走査線の選択期間の発光状態へ移行する際、有機ＥＬ素子ＯＥＬ（表示素子）の持つ容量への充放電を省略することができる。
【０１０９】
以上のように、本実施の形態にかかる有機ＥＬ素子の駆動方法は、マトリクス状に配された複数のロウ電極（走査線）とカラム電極（信号線）との各交差部に設けられた有機ＥＬ素子の駆動方法であって、前記複数のロウ電極の各選択期間中に、前記有機ＥＬ素子の発光状態と非発光状態とを時分割で切り換えながら前記有機ＥＬ素子を駆動する有機ＥＬ素子の駆動方法において、連続して選択される２つのロウ電極のうち、最初に選択されるロウ電極の選択期間の最後を非発光状態とする場合は、次に選択されるロウ電極の選択期間の最初も非発光状態となる一方、最初に選択されるロウ電極の選択期間の最後を発光状態とする場合は、次に選択されるロウ電極の選択期間の最初も発光状態となるように前記表示素子を駆動することを特徴としている。
【０１１０】
上記構成によれば、連続して選択される２つのロウ電極のうち、最初に選択されるロウ電極の選択期間において、最後が非発光状態の場合は、次に選択されるロウ電極の選択期間の最初も非発光状態となる。また、最初に選択されるロウ電極の選択期間の最後が発光状態の場合は、次に選択されるロウ電極の選択期間の最初も発光状態となる。このように表示素子を駆動することにより、一の走査線の選択期間の非発光状態から次に選択される走査線の選択期間の非発光状態へ移行する際、および一の走査線の選択期間の発光状態から次に選択される走査線の選択期間の発光状態へ移行する際、表示素子の持つ容量への充放電を省略することができる。この結果、表示素子の駆動時における表示素子の持つ容量への充放電回数を削減することができ、ひいては表示素子駆動時の消費電力の増大を抑制することができる。
【０１１１】
また、連続して選択される３つのロウ電極のうち、最初に選択されるロウ電極の選択期間には、前記リセット状態、前記発光状態、前記非発光状態の順に有機ＥＬ素子を駆動し、その次に選択されるロウ電極の選択期間には、非発光状態、リセット状態、発光状態の順に表示素子を駆動し、最後に選択されるロウ電極の選択期間には、発光状態、非発光状態の順に表示素子を駆動する構成としている。
【０１１２】
上記の構成によれば、連続して選択される３つのロウ電極のうち、最初に選択されるロウ電極の選択期間の非発光期間から２番目に選択されるロウ電極の選択期間の非発光期間へ移行する際、および２番目に選択されるロウ電極の選択期間の発光期間から３番目に選択されるロウ電極の選択期間の発光期間へ移行する際に、選択期間中の有機ＥＬ素子の接合容量の充放電の繰り返しを減少させることができる。この結果、従来の構成に比べ、ロウ電極を駆動するロウドライバ回路およびカラム電極を駆動するカラムドライバ回路の駆動頻度を減少させることができ、消費電力の抑制を図ることができる。
【０１１３】
また、上記連続して選択される３つのロウ電極に対応する選択期間３つ分に相当する期間を１ブロックとして、３走査線毎に１ブロックを繰り返して有機ＥＬ素子を駆動する構成としている。
【０１１４】
上記の構成によれば、各ロウ電極毎に同じ駆動操作を繰り返す従来の駆動方法に比べ、カラムドライバ回路及びロウドライバ回路の走査回数を削減することができる。この結果、選択期間中の有機ＥＬ素子の接合容量の充放電の回数を削減でき、消費電力の抑制を図ることができる。
【０１１５】
本実施の形態に係る有機ＥＬ素子の駆動方法は、前記最初に選択されるロウ電極の選択期間の最後の非発光状態から、次に選択されるロウ電極の選択期間の最初の非発光状態へ移行するとき、前記ロウ電極を駆動するロウドライバ回路の駆動状態およびカラム電極を駆動するカラムドライバ回路の駆動状態を、該移行の前後で変化させずにそのまま維持する構成とすることが望ましい。
【０１１６】
上記の構成によれば、一のロウ電極の選択期間から次に選択されるロウ電極の選択期間への移行の際に、上記カラムドライバ回路の駆動状態およびロウドライバ回路の駆動状態は、変化させずにそのまま維持される。したがって、従来の駆動方法に比べて、カラムドライバ回路およびロウドライバ回路の操作回数を削減することができる。この結果、消費電力の低減を図ることができる。
【０１１７】
本実施の形態では、発光状態の直前に設けられる前記リセット状態では、有機ＥＬ素子の持つ接合容量に蓄積された電荷を放電するように表示素子を駆動する構成としている。
【０１１８】
しかしながら、本発明は、これに限らず、例えば、後述する実施の形態２および４のように、発光状態の直前に設けられる前記リセット状態では、前記有機ＥＬ素子を発光させない状態で前記有機ＥＬ素子の持つ接合容量を所定の電位に充電するように有機ＥＬ素子を駆動する構成としてもよい。
【０１１９】
本実施の形態に係る有機ＥＬ素子の駆動装置は、マトリクス状に配された複数のロウ電極とカラム電極との各交差部に設けられた有機ＥＬ素子の駆動装置であって、前記複数のロウ電極の各選択期間に、前記有機ＥＬ素子の発光状態と非発光状態とが実行される電流有機ＥＬ素子の駆動装置において、連続して選択される２つの有機ＥＬ素子のうち、最初に選択されるロウ電極の選択期間の最後を非発光状態とする場合は、次に選択されるロウ電極の選択期間の最初も非発光状態となる一方、最初に選択される有機ＥＬ素子の選択期間の最後を発光状態とする場合は、次に選択される有機ＥＬ素子の選択期間の最初も発光状態となるように前記有機ＥＬ素子を駆動する制御回路（制御手段）を備えることを特徴としている。
【０１２０】
上記構成によれば、連続して選択される２つのロウ電極のうち、最初に選択されるロウ電極の選択期間において、最後が非発光状態の場合は、次に選択されるロウ電極の選択期間の最初も非発光状態となる。また、最初に選択されるロウ電極の選択期間の最後が発光状態の場合は、次に選択されるロウ電極の選択期間の最初も発光状態となる。このように有機ＥＬ素子を駆動することにより、一のロウ電極の選択期間の非発光状態から次に選択されるロウ電極の選択期間の非発光状態へ移行する際、および一のロウ電極の選択期間の発光状態から次に選択されるロウ電極の選択期間の発光状態へ移行する際、有機ＥＬ素子の持つ接合容量への充放電を省略することができる。この結果、有機ＥＬ素子の駆動時における有機ＥＬ素子の持つ接合容量への充放電回数を削減することができ、ひいては表示素子駆動時の消費電力の増大を抑制することができる。
【０１２１】
ところで、上記有機ＥＬ素子の駆動装置は、ハードウェアで実現してもよいし、プログラムをコンピュータに実行させることによって実現してもよい。
【０１２２】
具体的には、本発明の駆動装置の動作を制御する制御プログラムは、コンピュータを上記制御手段として機能させる制御プログラムである。
【０１２３】
〔実施の形態２〕
本実施の形態に係る電流駆動型の表示素子の駆動装置および駆動方法を、図６ないし図９を参照しながら以下に説明する。
【０１２４】
なお説明の便宜上、前記の実施形態の図面に示した部材と同一の部材には同一の符号を付記し、その説明を省略する。
【０１２５】
本実施の形態２に係るパッシブマトリクス駆動方式の表示装置１は、実施の形態１のカラムドライバ回路１１およびロウドライバ回路１２の代わりに、図２に示すカラムドライバ回路（信号線駆動回路）２１およびロウドライバ回路（走査線駆動回路）２２を備えており、その他の構成については実施の形態１と同じである。
【０１２６】
本実施の形態におけるカラムドライバ回路２１は、各カラム電極Ｃを、リセット状態（プリチャージ状態）ではプリチャージ電位である第１の電位Ｖpcの端子に接続し、非発光状態では、電位Ｖc-Lowの端子に接続するように切り換える点で、実施の形態１のカラムドライバ回路１１と異なっている。ロウドライバ回路２２は、リセット状態ではすべてのロウ電極Ｒを電位VR-Highの端子に接続し、非発光状態では、選択線であるロウ電極を電位VR-Highの端子に接続するように切り換える点で、実施の形態１のカラムドライバ回路１１と異なっている。
【０１２７】
本実施の形態では、実施の形態１と同様に、あるカラム電極Ｃ１に着目するとともに、連続して選択される３つの走査線であるロウ電極Ｒ１ないしＲ３の選択期間に着目して説明する。なお、カラム電極Ｃ１以外のカラム電極Ｃ２、Ｃ３・・・Ｃｎも、カラム電極Ｃ１と同様に駆動されている（その説明は省略する）。
【０１２８】
図６は、本実施の形態の駆動方法に係るタイミングチャートを示している。同図のタイミングチャートに示すＴ１、Ｔ２、Ｔ３、Ｔ４、Ｔ５、Ｔ６、Ｔ７、Ｔ８は、それぞれ陰極リセット状態（状態１）、発光状態（状態２）、非発光状態（状態３）、非発光状態（状態４）、陰極リセット状態（状態５）、発光状態（状態６）、発光状態（状態７）、非発光状態（状態８）に対応している。このタイミングチャートに示すように、カラム電極Ｃ１には、カラム電圧Ｖｃ（Ｖ）が印加され、ロウ電圧Ｒ１、Ｒ２、Ｒ３には、それぞれＶＲ１、ＶＲ２、ＶＲ３が印加される。また、有機ＥＬ素子ＯＥＬ（Ｃ１，Ｒ１）、（Ｃ１，Ｒ２）、（Ｃ１，Ｒ３）に流れる駆動電流Ｉ（Ａ）をそれぞれ、Ｉ（Ｃ１，Ｒ１）、Ｉ（Ｃ１，Ｒ２）、Ｉ（Ｃ１，Ｒ３）で示している。
【０１２９】
本実施の形態の駆動方法においては、連続して順次選択されるロウ電極Ｒ１ないしＲ３における有機ＥＬ素子の駆動は、最初に選択されるロウ電極Ｒ１の選択期間では、陰極リセット状態、発光状態、非発光状態の順に駆動され、次に選択されるロウ電極Ｒ２の選択期間では、非発光状態、陰極リセット状態、発光状態の順に駆動され、ロウ電極Ｒ２の次に選択されるロウ電極Ｒ３の選択期間では、発光状態、非発光状態の順に駆動される。
【０１３０】
以上のように、本実施の形態に係る有機ＥＬ素子の駆動方法は、連続して選択される３つのロウ電極（走査線）のうち、最初に選択されるロウ電極Ｒ１の選択期間には、前記リセット状態、前記発光状態、前記非発光状態の順に有機ＥＬ素子を駆動し、次に選択されるロウ電極Ｒ２の選択期間には、非発光状態、リセット状態、発光状態の順に有機ＥＬ素子を駆動し、ロウ電極Ｒ２の次に選択されるロウ電極Ｒ３の選択期間には、発光状態、非発光状態の順に有機ＥＬ素子を駆動することを特徴としている。
【０１３１】
なお、図示していないが、ロウ電極Ｒ３の次に選択されるロウ電極Ｒ４の選択期間では、ロウ電極Ｒ１の選択期間と同様に、陰極リセット状態、発光状態、非発光状態の順に駆動され、ロウ電極Ｒ４の次に選択されるロウ電極Ｒ５の選択期間では、ロウ電極Ｒ２の選択期間と同様に、非発光状態、陰極リセット状態、発光状態の順に駆動され、ロウ電極Ｒ５の次に選択されるロウ電極Ｒ３の選択期間では、ロウ電極Ｒ３と同様に、発光状態、非発光状態の順に駆動される。
【０１３２】
すなわち、本実施の形態にかかる駆動方法は、連続して選択される前記３つのロウ電極に対応する選択期間３つ分に相当する期間を１ブロックとして、３ロウ電極毎に１ブロックを繰り返して有機ＥＬ素子を駆動することを特徴としている。
【０１３３】
以下に、本実施の形態の駆動方法における各状態について詳細に説明する。
【０１３４】
図７の状態１は、表示素子の発光準備状態であるリセット状態（プリチャージ状態）を示している。このリセット状態では、カラム電極Ｃ１をプリチャージ電位である第１の電位Ｖpcの端子に接続し、ロウ電極を所定の電位電位VR-Highに接続することによって、有機ＥＬ素子のアノード（陽極）側が第１の電位Ｖpcに迅速に充電される（プリチャージ）。ここで、電位VR-Highは、状態１の有機ＥＬ素子に印加される電圧（陽極電位と陰極電位との差）が閾値電圧を越えないような電圧に設定されている。したがって、カラム電極Ｃ１とロウ電極Ｒ１との交差部に配される有機ＥＬ素子ＯＥＬ（Ｃ１，Ｒ１）は発光しない。
【０１３５】
すなわち、電位VR-Highは、下記の式（１）を満たすように設定される。
【０１３６】
Ｖth ＞ Ｖpc − VR-High                          …（１）
ここで、Ｖthは有機ＥＬ素子の閾値電圧を表す。また、電位Ｖpcは有機ＥＬ素子の接合容量を充電する第１の電位（陽極側の電位）であり、Ｖthを越える値に設定される。
【０１３７】
図７の状態２は、発光状態を示している。この状態２は、カラム電極Ｃ１とロウ電極Ｒ１との交差部に配される有機ＥＬ素子ＯＥＬ（Ｃ１，Ｒ１）が点灯している状態を示しており、選択線であるロウ電極Ｒ１は接地される一方、非選択線であるロウ電極Ｒ１以外のロウ電極Ｒ２、Ｒ３、・・・Ｒｎは、電位VR-Highに引き上げられたままの状態で維持される。一方、カラム電極Ｃ１は定電流源ＣＳに接続され、所定の電流が流れる電位になっている。したがって、この状態２では、カラム電極Ｃ１とロウ電極Ｒ１との交差部に配される有機ＥＬ素子ＯＥＬ（Ｃ１，Ｒ１）は、順バイアス状態となっているため発光し、それ以外の有機ＥＬ素子ＯＥＬは、逆バイアス状態となっているため非発光となる。
【０１３８】
図７の状態３は、非発光状態を示している。この非発光状態では、選択されていたロウ電極Ｒ１を電位VR-Highに引き上げ、カラム電極Ｃ１を電位Ｖc-Lowに接続することによって、有機ＥＬ素子ＯＥＬ（Ｃ１，Ｒ１）の接合容量に蓄積されていた電荷を放電し、有機ＥＬ素子ＯＥＬ（Ｃ１，Ｒ１）を非発光状態としている。ここで、電位Ｖc-Low（第２の電位）は、有機ＥＬ素子ＯＥＬの閾値電圧を越えない電位に設定されている。
【０１３９】
すなわち、図７の状態１ないし状態３での駆動は、それぞれ有機ＥＬ素子ＯＥＬの接合容量を充電（プリチャージ）してリセット状態（状態１）とした後、有機ＥＬ素子ＯＥＬ（Ｃ１，Ｒ１）を発光状態（状態２）とし、さらに、有機ＥＬ素子ＯＥＬ（Ｃ１，Ｒ１）の接合容量に蓄積された電荷を放電して非発光状態（状態３）とする操作であり、特許文献２に記載の駆動操作（図２４参照）と同様である。
【０１４０】
一方、本実施の形態に係る駆動方法における図８の状態４では、図２５に示す特許文献２の状態４（リセット状態）とは異なり、直前に選択されたロウ電極Ｒ１における図７の状態３（非発光状態）のままの駆動を維持継続している。すなわち、次のロウ電極Ｒ２の選択期間における、Ｃ１，Ｒ２に配置されている有機ＥＬ素子ＯＥＬ（Ｃ１，Ｒ２）の最初の状態も非発光状態（状態４）となるように駆動している。
【０１４１】
一方、図８の状態５（プリチャージ状態、リセット状態）および状態６（発光状態）では、図２５の特許文献２の駆動方法における状態４（リセット状態）および状態５（発光状態）と同様の操作を行い、カラム電極Ｃ１とロウ電極Ｒ２との交差部に配置されている有機ＥＬ素子ＯＥＬ（Ｃ１，Ｒ２）の接合容量を充電し、有機ＥＬ素子ＯＥＬ（Ｃ１，Ｒ２）を発光させている。
【０１４２】
図９の状態７は、発光状態を示している。すなわち、この状態２は、カラム電極Ｃ１とロウ電極Ｒ３との交差部に配される有機ＥＬ素子ＯＥＬ（Ｃ１，Ｒ３）が点灯している状態を示しており、選択線であるロウ電極Ｒ３は接地される一方、非選択線であるロウ電極Ｒ３以外のロウ電極Ｒ１、Ｒ２、Ｒ４、・・・Ｒｎは、電位VR-Highに引き上げられた状態で維持される。また、カラム電極Ｃ１は定電流源ＣＳに接続され、所定の電流が流れる電位になっている。したがって、状態２では、カラム電極Ｃ１とロウ電極Ｒ３との交差部に配される有機ＥＬ素子ＯＥＬ（Ｃ１，Ｒ３）は、順バイアス状態となっているため発光し、それ以外の有機ＥＬ素子は逆バイアス状態となっているため非発光となる。
【０１４３】
図９の状態８は、非発光状態を示している。この非発光状態では、選択されていたロウ電極Ｒ３を電位VR-Highに引き上げ、カラム電極Ｃ１を電位Ｖc-Lowに接続することによって、有機ＥＬ素子ＯＥＬ（Ｃ１，Ｒ３）の接合容量に蓄積されている電荷を放電し、有機ＥＬ素子ＯＥＬ（Ｃ１，Ｒ３）を非発光状態としている。
【０１４４】
上記の図７ないし図９に示す状態１から状態８の操作を、連続して順次走査される３本のロウ電極毎に繰り返すことによって、有機ＥＬ素子（表示素子）を駆動している。したがって、ロウ電極Ｒ３の次に走査されるロウ電極Ｒ４では、図７の状態１から状態３（リセット状態、発光状態、非発光状態）が実行される。
【０１４５】
上記のように、本実施の形態に係る有機ＥＬ素子の駆動方法は、連続して選択される３つのロウ電極のうち、最初に選択されるロウ電極の選択期間では、前記リセット状態、発光状態、非発光状態の順に実行し、次に選択されるロウ電極の選択期間では、非発光状態、リセット状態、発光状態の順に実行し、最後に選択される走査線の選択期間では、発光状態、非発光状態の順に実行するように駆動するように構成されている。
【０１４６】
さらに、連続して選択される前記３つのロウ電極に対応する選択期間３つ分に相当する期間を１ブロックとして、１ブロックを繰り返すように駆動する構成としている。
【０１４７】
ここで、階調特性の取り方を、図７の状態１ないし状態３（リセット状態、発光状態、非発光状態）、図８の状態４ないし状態６（非発光状態、リセット状態、発光状態）および図９の状態７、状態８（発光状態、非発光状態）を参照しながら説明する。図７ないし図９の発光期間（状態２、状態６、状態７の各期間）を増加する（期間が長くなる）と、非発光期間（状態３、状態４、状態８の各期間）は、それぞれ発光期間の増加分だけ減少する（期間が短くなる）。したがって、この場合、輝度が増加し、高階調となる。逆に、発光期間（状態２、状態６、状態７）を減少する（期間が短くなる）と、非発光状態（状態３、状態４、状態８）は、それぞれ発光期間の減少分だけ増加する（期間が長くなる）。したがって、この場合、輝度が減少し、低階調となる。
【０１４８】
本実施の形態に係る電流駆動型の表示素子の駆動方法は、特許文献２における駆動方法とは、図２５に示される特許文献２における状態４（リセット状態）、状態５（発光状態）、状態６（非発光状態）の状態の順序が異なり、且つ、図２６に示される特許文献２におけるリセット状態（状態７）が省略されているところも異なる。
【０１４９】
図２５の非発光状態（特許文献２の状態６）と、図８の非発光状態（状態４）とは、カラム電極Ｃ１とロウ電極Ｒ２との交差部に配置されている有機ＥＬ素子ＯＥＬ（Ｃ１，Ｒ２）を非発光としている点では同様の状態と言える。
【０１５０】
しかしながら、本実施の形態では、図７の状態３で既にカラム電極Ｃ１を電位Ｖc-Lowに接続しており、カラム電極Ｃ１に接続されている全ての有機ＥＬ素子ＯＥＬは、接合容量に蓄積されている電荷が放電されて非発光状態となっている。このため、図８の非発光状態（状態４）では、図２５の特許文献２の状態６のようにカラム電極Ｃ１に接続された有機ＥＬ素子ＯＥＬの接合容量に蓄積された電荷をこの時点で再度放電する必要がない。このため、図７のロウ電極Ｒ１の選択期間の非発光状態（状態３）から図８のロウ電極Ｒ２の選択期間の非発光状態（状態４）へ移行する際の、カラムドライバ回路２１およびロウドライバ回路２２の一切のスイッチング動作（駆動操作）が不要となる。
【０１５１】
さらに、図８のロウ電極Ｒ２の選択期間の発光状態（状態６）から図９のロウ電極Ｒ３の選択期間の発光状態（状態７）へ移行する際も、図８の状態６で既にカラム電極Ｃ１を定電流源ＣＳに接続しており、図９の状態７ではこの時点でのカラムドライバ回路２１のスイッチング動作（駆動操作）が不要となる。
【０１５２】
そして、図９のロウ電極Ｒ３の選択期間の最初に設けられた発光状態（状態７）の前にリセット状態を設ける必要がない。すなわち、特許文献２の駆動方法における図２６のリセット状態（状態７）への切り替えを省略することができる。よって、リセット状態から発光状態への切り替えにともなうカラムドライバ回路２１およびロウドライバ回路２２のスイッチング動作（駆動操作）が不要となる。
【０１５３】
以上のように、本実施の形態に係る有機ＥＬ素子の駆動方法は、ロウ電極の各選択期間の最初を非発光状態とする場合は、該発光状態の直前に、有機ＥＬ素子の発光準備状態であるリセット状態となるように有機ＥＬ素子を駆動する一方、該選択期間の最初を発光状態とする場合は、該選択期間に該リセット状態を設けないように有機ＥＬ素子を駆動する構成としている。
【０１５４】
上記の構成によれば、最初に発光状態が実行されるロウ電極の選択期間では、表示素子の発光準備状態であるリセット状態への切り替えを省略することができる。このため、例えば、全てのロウ電極を接地することによって、逆バイアス状態に充電されていた有機ＥＬ素子の接合容量を放電させてリセットする等の動作が不要となる。さらに、上記有機ＥＬ素子を発光状態とする期間に先立って、有機ＥＬ素子を充電する（プリチャージ）必要もない。この結果、さらなる消費電力の抑制を図ることができる。
【０１５５】
すなわち、一の走査線の選択期間の発光状態から次に選択される走査線の選択期間の発光状態へ移行する際、有機ＥＬ素子ＯＥＬ（表示素子）の持つ容量への充放電を省略することができる。
【０１５６】
以上のように、本実施の形態にかかる有機ＥＬ素子の駆動方法は、マトリクス状に配された複数のロウ電極（走査線）とカラム電極（信号線）との各交差部に設けられた有機ＥＬ素子の駆動方法であって、前記複数のロウ電極の各選択期間中に、前記有機ＥＬ素子の発光状態と非発光状態とを時分割で切り換えながら前記有機ＥＬ素子を駆動する有機ＥＬ素子の駆動方法において、連続して選択される２つのロウ電極のうち、最初に選択されるロウ電極の選択期間の最後を非発光状態とする場合は、次に選択されるロウ電極の選択期間の最初も非発光状態となる一方、最初に選択されるロウ電極の選択期間の最後を発光状態とする場合は、次に選択されるロウ電極の選択期間の最初も発光状態となるように前記表示素子を駆動することを特徴としている。
【０１５７】
上記構成によれば、連続して選択される２つのロウ電極のうち、最初に選択されるロウ電極の選択期間において、最後が非発光状態の場合は、次に選択されるロウ電極の選択期間の最初も非発光状態となる。また、最初に選択されるロウ電極の選択期間の最後が発光状態の場合は、次に選択されるロウ電極の選択期間の最初も発光状態となる。このように表示素子を駆動することにより、一の走査線の選択期間の非発光状態から次に選択される走査線の選択期間の非発光状態へ移行する際、および一の走査線の選択期間の発光状態から次に選択される走査線の選択期間の発光状態へ移行する際、表示素子の持つ容量への充放電を省略することができる。この結果、表示素子の駆動時における表示素子の持つ容量への充放電回数を削減することができ、ひいては表示素子駆動時の消費電力の増大を抑制することができる。
【０１５８】
また、連続して選択される３つのロウ電極のうち、最初に選択されるロウ電極の選択期間には、前記リセット状態、前記発光状態、前記非発光状態の順に有機ＥＬ素子を駆動し、その次に選択されるロウ電極の選択期間には、非発光状態、リセット状態、発光状態の順に表示素子を駆動し、最後に選択されるロウ電極の選択期間には、発光状態、非発光状態の順に表示素子を駆動する構成としている。
【０１５９】
上記の構成によれば、連続して選択される３つのロウ電極のうち、最初に選択されるロウ電極の選択期間の非発光期間から２番目に選択されるロウ電極の選択期間の非発光期間へ移行する際、および２番目に選択されるロウ電極の選択期間の発光期間から３番目に選択されるロウ電極の選択期間の発光期間へ移行する際に、選択期間中の有機ＥＬ素子の接合容量の充放電の繰り返しを減少させることができる。この結果、従来の構成に比べ、ロウ電極を駆動するロウドライバ回路およびカラム電極を駆動するカラムドライバ回路の駆動頻度を減少させることができ、消費電力の抑制を図ることができる。
【０１６０】
また、上記連続して選択される３つのロウ電極に対応する選択期間３つ分に相当する期間を１ブロックとして、３走査線毎に１ブロックを繰り返して有機ＥＬ素子を駆動する構成としている。
【０１６１】
上記の構成によれば、各ロウ電極毎に同じ駆動操作を繰り返す従来の駆動方法に比べ、カラムドライバ回路及びロウドライバ回路の走査回数を削減することができる。この結果、選択期間中の有機ＥＬ素子の接合容量の充放電の回数を削減でき、消費電力の抑制を図ることができる。
【０１６２】
本実施の形態に係る有機ＥＬ素子の駆動方法は、前記最初に選択されるロウ電極の選択期間の最後の非発光状態から、次に選択されるロウ電極の選択期間の最初の非発光状態へ移行するとき、前記ロウ電極を駆動するロウドライバ回路の駆動状態およびカラム電極を駆動するカラムドライバ回路の駆動状態を、該移行の前後で変化させずにそのまま維持する構成とすることが望ましい。
【０１６３】
上記の構成によれば、一のロウ電極の選択期間から次に選択されるロウ電極の選択期間への移行の際に、上記カラムドライバ回路の駆動状態およびロウドライバ回路の駆動状態は、変化させずにそのまま維持される。したがって、従来の駆動方法に比べて、カラムドライバ回路およびロウドライバ回路の操作回数を削減することができる。この結果、消費電力の低減を図ることができる。
【０１６４】
本実施の形態では、発光状態の直前に設けられる前記リセット状態では、前記有機ＥＬ素子を発光させない状態で前記有機ＥＬ素子の持つ接合容量を所定の電位に充電するように有機ＥＬ素子を駆動する構成としている。
【０１６５】
しかしながら、本発明はこれに限らず、例えば、前述の実施の形態１および後述する実施の形態３のように、発光状態の直前に設けられる前記リセット状態では、有機ＥＬ素子の持つ接合容量に蓄積された電荷を放電するように表示素子を駆動する構成としてもよい。
【０１６６】
本実施の形態に係る有機ＥＬ素子の駆動方法は、前記リセット状態における前記第１の電位は、前記表示素子の閾値電圧以上の値に設定されている。
【０１６７】
これにより、前記発光期間に先立って有機ＥＬ素子の接合容量を充電できるため、表示素子の選択期間における応答速度を向上させて、階調表示に必要な信号時間幅分の動作期間を確保することができ、表示画質の向上を図ることができる。
【０１６８】
また、非発光状態では、選択期間中の有機ＥＬ素子を該有機ＥＬ素子の閾値電圧を越えない第２の電位に充電するように表示素子を駆動する構成としている。
【０１６９】
これにより、非発光期間において、に前記電流駆動型表示素子の接合容量の放電を行う際、電圧の振り幅を押さえることができるため、消費電力を抑制できる。
【０１７０】
本実施の形態に係る有機ＥＬ素子の駆動装置は、マトリクス状に配された複数のロウ電極とカラム電極との各交差部に設けられた有機ＥＬ素子の駆動装置であって、前記複数のロウ電極の各選択期間に、前記有機ＥＬ素子の発光状態と非発光状態とが実行される電流有機ＥＬ素子の駆動装置において、連続して選択される２つの有機ＥＬ素子のうち、最初に選択されるロウ電極の選択期間の最後を非発光状態とする場合は、次に選択されるロウ電極の選択期間の最初も非発光状態となる一方、最初に選択される有機ＥＬ素子の選択期間の最後を発光状態とする場合は、次に選択される有機ＥＬ素子の選択期間の最初も発光状態となるように前記有機ＥＬ素子を駆動する制御回路（制御手段）を備えることを特徴としている。
【０１７１】
上記構成によれば、連続して選択される２つのロウ電極のうち、最初に選択されるロウ電極の選択期間において、最後が非発光状態の場合は、次に選択されるロウ電極の選択期間の最初も非発光状態となる。また、最初に選択されるロウ電極の選択期間の最後が発光状態の場合は、次に選択されるロウ電極の選択期間の最初も発光状態となる。このように有機ＥＬ素子を駆動することにより、一のロウ電極の選択期間の非発光状態から次に選択されるロウ電極の選択期間の非発光状態へ移行する際、および一のロウ電極の選択期間の発光状態から次に選択されるロウ電極の選択期間の発光状態へ移行する際、有機ＥＬ素子の持つ接合容量への充放電を省略することができる。この結果、有機ＥＬ素子の駆動時における有機ＥＬ素子の持つ接合容量への充放電回数を削減することができ、ひいては表示素子駆動時の消費電力の増大を抑制することができる。
【０１７２】
ところで、上記有機ＥＬ素子の駆動装置は、ハードウェアで実現してもよいし、プログラムをコンピュータに実行させることによって実現してもよい。
【０１７３】
具体的には、本発明の駆動装置の動作を制御する制御プログラムは、コンピュータを上記制御手段として機能させる制御プログラムである。
【０１７４】
〔実施の形態３〕
本実施の形態に係る電流駆動型の表示素子の駆動装置および駆動方法を、図１０ないし図１３を参照しながら以下に説明する。
【０１７５】
なお説明の便宜上、前記の実施形態の図面に示した部材と同一の部材には同一の符号を付記し、その説明を省略する。
【０１７６】
本実施の形態３に係るパッシブマトリクス駆動方式の表示装置１は、図５に示す実施の形態１の表示装置１の概略構成と同様の構成である。本実施の形態２とは、カラムドライバ回路１１およびロウドライバ回路１２による有機ＥＬ素子ＯＥＬの駆動方法のみ実施の形態１と異なり、その他の構成については実施の形態１と同じである。
【０１７７】
なお、本実施の形態でも、連続して選択される２つの走査線であるロウ電極Ｒ１ないしＲ３の選択期間に着目して説明する。なお、本実施の形態では、カラム電極Ｃ１に着目して説明するが、カラム電極Ｃ１以外のカラム電極Ｃ２、Ｃ３・・・Ｃｎも、カラム電極Ｃ１と同様に駆動されている（その説明は省略する）。
【０１７８】
図１０は、本実施の形態の駆動方法に係るタイミングチャートを示している。同図のタイミングチャートに示すＴ１、Ｔ２、Ｔ３、Ｔ４、Ｔ５、Ｔ６、Ｔ７、Ｔ８は、それぞれ非発光状態（状態１）、プリチャージ状態（状態２）、発光状態（状態３）、発光状態（状態４）、非発光状態（状態５）、非発光状態、プリチャージ状態、発光状態に対応している。このタイミングチャートに示すように、カラム電極Ｃ１には、カラム電圧Ｖｃ（Ｖ）が印加され、ロウ電圧Ｒ１、Ｒ２、Ｒ３には、それぞれＶＲ１、ＶＲ２、ＶＲ３が印加される。また、有機ＥＬ素子ＯＥＬ（Ｃ１，Ｒ１）、（Ｃ１，Ｒ２）、（Ｃ１，Ｒ３）に流れる駆動電流Ｉ（Ａ）をそれぞれ、Ｉ（Ｃ１，Ｒ１）、Ｉ（Ｃ１，Ｒ２）、Ｉ（Ｃ１，Ｒ３）で示している。
【０１７９】
本実施の形態の駆動方法においては、連続して順次選択されるロウ電極Ｒ１ないしＲ３における有機ＥＬ素子の駆動は、最初に選択されるロウ電極Ｒ１の選択期間では、非発光状態、陰極リセット状態、発光状態の順に駆動され、次に選択されるロウ電極Ｒ２の選択期間では、発光状態、非発光状態の順に駆動され、ロウ電極Ｒ２の次に選択されるロウ電極Ｒ３の選択期間では、最初に選択されるロウ電極Ｒ１の選択期間と同様に、非発光状態、陰極リセット状態、発光状態の順に駆動される。
【０１８０】
以上のように、本実施の形態に係る有機ＥＬ素子の駆動方法は、連続して選択される２つのロウ電極（走査線）のうち、最初に選択されるロウ電極の選択期間には、非発光状態、リセット状態、発光状態の順に有機ＥＬ素子を駆動し、その次に選択されるロウ電極の選択期間には、発光状態、非発光状態の順に有機ＥＬ素子を駆動することを特徴としている。
【０１８１】
なお、図１０のタイミングチャートに示すように、ロウ電極Ｒ３の次に選択されるロウ電極Ｒ４の選択期間では、ロウ電極Ｒ２の選択期間と同様に、発光状態、非発光状態の順に駆動される。
【０１８２】
すなわち、本実施の形態に係る有機ＥＬ素子の駆動方法は、連続して選択される前記２つのロウ電極に対応する選択期間２つ分に相当する期間を１ブロックとして、２ロウ電極毎に１ブロックを繰り返して有機ＥＬ素子を駆動することを特徴としている。
【０１８３】
以下に、本実施の形態の駆動方法における各状態について詳細に説明する。
【０１８４】
図１１の状態１は、非発光状態を示している。この非発光状態では、カラム電極Ｃ１を接地することによって、有機ＥＬ素子の接合容量に蓄積されていた電荷が放電され、カラム電極Ｃ１とロウ電極Ｒ１との交差部に配置されている有機ＥＬ素子ＯＥＬ（Ｃ１，Ｒ１）は、非発光状態となる。
【０１８５】
すなわち、本実施の形態に係る電流駆動型の表示素子の駆動方法においては、特許文献１とは異なり、最初に選択される走査線（ロウ電極Ｒ１）の選択期間において、有機ＥＬ素子ＯＥＬ（Ｃ１，Ｒ１）の駆動を非発光状態から開始する点が特徴的である。
【０１８６】
図１１の状態２は、表示素子の発光準備状態であるリセット状態（陰極リセット状態）を示している。このリセット状態では、すべてのロウ電極Ｒ１、Ｒ２、Ｒ３、・・・Ｒｎを接地することによって、有機ＥＬ素子ＯＥＬの陰極をリセットし、逆バイアス状態に充電されていた有機ＥＬ素子ＯＥＬの接合容量を放電させている。このリセット状態では、有機ＥＬ素子ＯＥＬは発光しない。
【０１８７】
図１１の状態３は、表示素子の発光状態を示している。この発光状態では、選択されるロウ電極Ｒ１以外のすべてのロウ電極Ｒ２、Ｒ３、Ｒ４、・・・Ｒｎを電位VR-Highに引き上る。且つ、カラム電極Ｃ１を定電流源ＣＳに接続する。これによって、カラム電極Ｃ１とロウ電極Ｒ１との交差部に配される有機ＥＬ素子ＯＥＬ（Ｃ１，Ｒ１）の接合容量が迅速に充電される。このとき、カラム電極Ｃ１は定電流源ＣＳに接続され、ロウ電極Ｒ１は接地されているので、カラム電極Ｃ１とロウ電極Ｒ１との交差部に配される有機ＥＬ素子ＯＥＬ（Ｃ１，Ｒ１）に所定の駆動電流が流れ、有機ＥＬ素子ＯＥＬ（Ｃ１，Ｒ１）が発光状態となる。
【０１８８】
上記のように、図１１の状態２および状態３では、図２０に示す特許文献１の状態１（リセット状態）および状態２（発光状態）と同様の操作を行って、有機ＥＬ素子ＯＥＬ（Ｃ１，Ｒ１）の接合容量を放電および充電しながら、有機ＥＬ素子ＯＥＬ（Ｃ１，Ｒ１）を発光させている。
【０１８９】
次の図１２に示す状態４は、発光状態を示している。この発光状態では、カラム電極Ｃ１を定電流源ＣＳに接続した状態で維持する一方、ロウ電極Ｒ１を電位VR-Highに引き上げ、且つロウ電極Ｒ２を接地することで、カラム電極Ｃ１とロウ電極Ｒ２との交差部に配置されている有機ＥＬ素子ＯＥＬ（Ｃ１，Ｒ２）を発光させている。
【０１９０】
次の図１２の状態５は、非発光状態を示している。この非発光状態では、カラム電極Ｃ１を接地することによって、有機ＥＬ素子ＯＥＬ（Ｃ１，Ｒ２）の接合容量に蓄積されている電荷をカラム電極Ｃ１を介して放電し、有機ＥＬ素子ＯＥＬ（Ｃ１，Ｒ２）を非発光状態としている。
【０１９１】
次の図１３の状態６では、直前に選択されたロウ電極Ｒ２の選択期間の最後に実行された状態３（非発光状態）が維持継続される。すなわち、次に選択されるロウ電極Ｒ３の選択期間の最初に、カラム電極Ｃ１とロウ電極Ｒ３との交差部に配置されている有機ＥＬ素子ＯＥＬ（Ｃ１，Ｒ３）を非発光状態とする駆動（表示素子の状態の維持駆動）が行われる。
【０１９２】
なお、階調特性の取り方を、図１１の状態１ないし状態３（非発光状態、リセット状態、発光状態）、図１２の状態４、状態５（発光状態、非発光状態）および図１３の状態６ないし状態８（非発光状態、リセット状態、発光状態）を参照しながら説明する。図１１ないし図１３の発光期間（状態３、状態４、状態８の各期間）を増加する（期間が長くなる）と、非発光期間（状態１、状態５、状態６の各期間）は、それぞれ発光期間の増加分だけ減少する（期間が短くなる）。したがって、輝度が増加し、高階調となる。逆に、発光期間（状態３、状態４、状態８の各期間）の期間が減少する（期間が短くなる）と、非発光状態（状態１、状態５、状態６の各期間）は、それぞれ発光期間の増加分だけ増加する（期間が長くなる）。したがって、この場合、輝度が減少し、低階調となる。
【０１９３】
本実施の形態に係る電流駆動型の表示素子の駆動方法は、特許文献１における駆動方法とは、図２０に示される特許文献１における状態１（リセット状態）、状態２（発光状態）、状態３（非発光状態）の状態の順序および状態７（リセット状態）、状態８（発光状態）、状態９（非発光状態）の状態の順序が異なり、且つ、図２１に示される特許文献１におけるリセット状態（状態４）が省略されているところも異なる。
【０１９４】
図１１のロウ電極Ｒ１の選択期間の最後の発光状態（状態３）から図１２のロウ電極Ｒ２の選択期間の最初の発光状態（状態４）へ移行する際も、図１１の状態３で既にカラム電極Ｃ１を定電流源ＣＳに接続しており、図１２の状態４ではこの時点でのカラムドライバ回路２１のスイッチング動作（駆動操作）が不要となる。
【０１９５】
そして、図１２のロウ電極Ｒ２の選択期間の最初に設けられた発光状態（状態４）の前にリセット状態を設ける必要がない。すなわち、特許文献１の駆動方法における図２２のリセット状態（状態４）への切り替えを省略することができる。これにより、全てのロウ電極Ｒを接地することによって、逆バイアス状態に充電されていた有機ＥＬ素子の接合容量を、ロウ電極を通じて放電させる必要がなく、また有機ＥＬ素子の放電後に改めて発光のための有機ＥＬ素子の充電をする必要もない。つまり、カラムドライバ回路１１およびロウドライバ回路１２のスイッチング動作（駆動操作）が不要となる。
【０１９６】
図２２の非発光状態（特許文献１の状態９）と、図１３の非発光状態（状態６）とは、カラム電極Ｃ１とロウ電極Ｒ３との交差部に配置されている有機ＥＬ素子ＯＥＬ（Ｃ１，Ｒ３）を非発光としている点では同様の状態と言える。
【０１９７】
しかしながら、本実施の形態では、図１２の状態５で既にカラム電極Ｃ１を接地しており、カラム電極Ｃ１に接続されている全ての有機ＥＬ素子ＯＥＬは、接合容量に蓄積されている電荷が放電されて非発光状態となっている。このため、図１３の非発光状態（状態６）では、図２２の特許文献１の状態９のようにカラム電極Ｃ１をこの時点で接地して電荷を再度放電する必要がない。このため、図１２のロウ電極Ｒ２の選択期間の非発光状態（状態５）から図１３のロウ電極Ｒ３の選択期間の非発光状態（状態６）へ移行する際の、カラムドライバ回路１１およびロウドライバ回路１２の一切のスイッチング動作（駆動操作）が不要となる。
【０１９８】
これにより、一の走査線の選択期間の非発光状態から次に選択される走査線の選択期間の非発光状態へ移行する際、有機ＥＬ素子ＯＥＬ（表示素子）の持つ容量への充放電を省略することができる。
【０１９９】
以上のように、連続して選択される２つの走査線のうち、最初に選択される走査線の選択期間の最後を非発光状態とする場合は、次に選択される走査線の選択期間の最初も非発光状態となる一方、最初に選択される走査線の選択期間の最後を発光状態とする場合は、次に選択される走査線の選択期間の最初も発光状態となるように、有機ＥＬ素子ＯＥＬを駆動することにより、該駆動時における有機ＥＬ素子ＯＥＬの持つ容量への充放電回数を、従来よりも大幅に削減することができ、ひいては表示素子駆動時の消費電力の増大を抑制することができる。
【０２００】
以上のように、本実施の形態にかかる有機ＥＬ素子の駆動方法は、マトリクス状に配された複数のロウ電極（走査線）とカラム電極（信号線）との各交差部に設けられた有機ＥＬ素子の駆動方法であって、前記複数のロウ電極の各選択期間中に、前記有機ＥＬ素子の発光状態と非発光状態とを時分割で切り換えながら前記有機ＥＬ素子を駆動する有機ＥＬ素子の駆動方法において、連続して選択される２つのロウ電極のうち、最初に選択されるロウ電極の選択期間の最後を非発光状態とする場合は、次に選択されるロウ電極の選択期間の最初も非発光状態となる一方、最初に選択されるロウ電極の選択期間の最後を発光状態とする場合は、次に選択されるロウ電極の選択期間の最初も発光状態となるように前記表示素子を駆動することを特徴としている。
【０２０１】
上記構成によれば、連続して選択される２つのロウ電極のうち、最初に選択されるロウ電極の選択期間において、最後が非発光状態の場合は、次に選択されるロウ電極の選択期間の最初も非発光状態となる。また、最初に選択されるロウ電極の選択期間の最後が発光状態の場合は、次に選択されるロウ電極の選択期間の最初も発光状態となる。このように表示素子を駆動することにより、一の走査線の選択期間の非発光状態から次に選択される走査線の選択期間の非発光状態へ移行する際、および一の走査線の選択期間の発光状態から次に選択される走査線の選択期間の発光状態へ移行する際、表示素子の持つ容量への充放電を省略することができる。この結果、表示素子の駆動時における表示素子の持つ容量への充放電回数を削減することができ、ひいては表示素子駆動時の消費電力の増大を抑制することができる。
【０２０２】
また、連続して選択される２つのロウ電極のうち、最初に選択されるロウ電極の選択期間には、非発光状態、リセット状態、発光状態の順に有機ＥＬ素子を駆動し、その次に選択されるロウ電極の選択期間には、発光状態、非発光状態の順に有機ＥＬ素子を駆動する構成としている。
【０２０３】
上記の構成によれば、連続して選択される２つのロウ電極のうち、最初に選択されるロウ電極の選択期間の発光期間から次に選択されるロウ電極の選択期間の発光期間へ移行する際のスイッチ動作が不要となる。このため、選択期間中の有機ＥＬ素子の接合容量の充放電の繰り返しを減少させることができる。この結果、従来の構成に比べ、ロウ電極を駆動するロウドライバ回路およびカラム電極を駆動するカラムドライバ回路の駆動頻度を減少させることができ、消費電力の抑制を図ることができる。
【０２０４】
上記の有機ＥＬ素子の駆動方法は、連続して選択される２つのロウ電極に対応する選択期間２つ分に相当する期間を１ブロックとして、２走査線毎に１ブロックを繰り返して表示素子を駆動する構成としている。
【０２０５】
上記の構成によれば、各走査線毎に同じ駆動操作を繰り返す従来の駆動方法に比べ、カラムドライバ回路及びロウドライバ回路の駆動回数を削減することができる。この結果、選択期間中の表示素子の接合容量の充放電の回数を削減でき、消費電力の抑制を図ることができる。
【０２０６】
本実施の形態に係る有機ＥＬ素子の駆動方法は、前記最初に選択されるロウ電極の選択期間の最後の非発光状態から、次に選択されるロウ電極の選択期間の最初の非発光状態へ移行するとき、前記ロウ電極を駆動するロウドライバ回路の駆動状態およびカラム電極を駆動するカラムドライバ回路の駆動状態を、該移行の前後で変化させずにそのまま維持する構成とすることが望ましい。
【０２０７】
上記の構成によれば、一のロウ電極の選択期間から次に選択されるロウ電極の選択期間への移行の際に、上記カラムドライバ回路の駆動状態およびロウドライバ回路の駆動状態は、変化させずにそのまま維持される。したがって、従来の駆動方法に比べて、カラムドライバ回路およびロウドライバ回路の操作回数を削減することができる。この結果、消費電力の低減を図ることができる。
【０２０８】
本実施の形態では、発光状態の直前に設けられる前記リセット状態では、有機ＥＬ素子の持つ接合容量に蓄積された電荷を放電するように表示素子を駆動する構成としている。
【０２０９】
しかしながら、本発明は、これに限らず、例えば、後述する実施の形態２および４のように、発光状態の直前に設けられる前記リセット状態では、前記有機ＥＬ素子を発光させない状態で前記有機ＥＬ素子の持つ接合容量を所定の電位に充電するように有機ＥＬ素子を駆動する構成としてもよい。
【０２１０】
本実施の形態に係る有機ＥＬ素子の駆動装置は、マトリクス状に配された複数のロウ電極とカラム電極との各交差部に設けられた有機ＥＬ素子の駆動装置であって、前記複数のロウ電極の各選択期間に、前記有機ＥＬ素子の発光状態と非発光状態とが実行される電流有機ＥＬ素子の駆動装置において、連続して選択される２つの有機ＥＬ素子のうち、最初に選択されるロウ電極の選択期間の最後を非発光状態とする場合は、次に選択されるロウ電極の選択期間の最初も非発光状態となる一方、最初に選択される有機ＥＬ素子の選択期間の最後を発光状態とする場合は、次に選択される有機ＥＬ素子の選択期間の最初も発光状態となるように前記有機ＥＬ素子を駆動する制御回路（制御手段）を備えることを特徴としている。
【０２１１】
上記構成によれば、連続して選択される２つのロウ電極のうち、最初に選択されるロウ電極の選択期間において、最後が非発光状態の場合は、次に選択されるロウ電極の選択期間の最初も非発光状態となる。また、最初に選択されるロウ電極の選択期間の最後が発光状態の場合は、次に選択されるロウ電極の選択期間の最初も発光状態となる。このように有機ＥＬ素子を駆動することにより、一のロウ電極の選択期間の非発光状態から次に選択されるロウ電極の選択期間の非発光状態へ移行する際、および一のロウ電極の選択期間の発光状態から次に選択されるロウ電極の選択期間の発光状態へ移行する際、有機ＥＬ素子の持つ接合容量への充放電を省略することができる。この結果、有機ＥＬ素子の駆動時における有機ＥＬ素子の持つ接合容量への充放電回数を削減することができ、ひいては表示素子駆動時の消費電力の増大を抑制することができる。
【０２１２】
ところで、上記有機ＥＬ素子の駆動装置は、ハードウェアで実現してもよいし、プログラムをコンピュータに実行させることによって実現してもよい。
【０２１３】
具体的には、本発明の駆動装置の動作を制御する制御プログラムは、コンピュータを上記制御手段として機能させる制御プログラムである。
【０２１４】
〔実施の形態４〕
本実施の形態に係る電流駆動型の表示素子の駆動装置および駆動方法を、図１４ないし図１７を参照しながら以下に説明する。
【０２１５】
なお説明の便宜上、前記の実施形態の図面に示した部材と同一の部材には同一の符号を付記し、その説明を省略する。
【０２１６】
本実施の形態４に係るパッシブマトリクス駆動方式の表示装置１は、カラムドライバ回路２１およびロウドライバ回路２２による有機ＥＬ素子ＯＥＬの駆動方法のみ実施の形態２と異なり、その他の構成については実施の形態２と同じである。
【０２１７】
本実施の形態におけるカラムドライバ回路２１は、各カラム電極Ｃを、リセット状態（プリチャージ状態）ではプリチャージ電位である第１の電位Ｖpcの端子に接続し、非発光状態では、電位Ｖc-Lowの端子に接続するように切り換える点で、実施の形態１および３のカラムドライバ回路１１と異なっている。ロウドライバ回路２２は、リセット状態ではすべてのロウ電極Ｒを電位VR-Highの端子に接続し、非発光状態では、選択線であるロウ電極を電位VR-Highの端子に接続するように切り換える点で、実施の形態１および３のカラムドライバ回路１１と異なっている。
【０２１８】
なお、本実施の形態でも、連続して選択される２つの走査線であるロウ電極Ｒ１ないしＲ３の選択期間に着目して説明する。なお、本実施の形態では、カラム電極Ｃ１に着目して説明するが、カラム電極Ｃ１以外のカラム電極Ｃ２、Ｃ３・・・Ｃｎも、カラム電極Ｃ１と同様に駆動されている（その説明は省略する）。
【０２１９】
図１４は、本実施の形態の駆動方法に係るタイミングチャートを示している。同図のタイミングチャートに示すＴ１、Ｔ２、Ｔ３、Ｔ４、Ｔ５、Ｔ６、Ｔ７、Ｔ８は、それぞれ非発光状態（状態１）、プリチャージ状態（状態２）、発光状態（状態３）、発光状態（状態４）、非発光状態（状態５）、非発光状態、プリチャージ状態、発光状態に対応している。このタイミングチャートに示すように、カラム電極Ｃ１には、カラム電圧Ｖｃ（Ｖ）が印加され、ロウ電圧Ｒ１、Ｒ２、Ｒ３には、それぞれＶＲ１、ＶＲ２、ＶＲ３が印加される。また、有機ＥＬ素子ＯＥＬ（Ｃ１，Ｒ１）、（Ｃ１，Ｒ２）、（Ｃ１，Ｒ３）に流れる駆動電流Ｉ（Ａ）をそれぞれ、Ｉ（Ｃ１，Ｒ１）、Ｉ（Ｃ１，Ｒ２）、Ｉ（Ｃ１，Ｒ３）で示している。
【０２２０】
本実施の形態の駆動方法においては、連続して順次選択されるロウ電極Ｒ１ないしＲ３における有機ＥＬ素子の駆動は、最初に選択されるロウ電極Ｒ１の選択期間では、非発光状態、陰極リセット状態、発光状態の順に駆動され、次に選択されるロウ電極Ｒ２の選択期間では、発光状態、非発光状態の順に駆動され、ロウ電極Ｒ２の次に選択されるロウ電極Ｒ３の選択期間では、最初に選択されるロウ電極Ｒ１の選択期間と同様に、非発光状態、陰極リセット状態、発光状態の順に駆動される。
【０２２１】
以上のように、本実施の形態に係る有機ＥＬ素子の駆動方法は、連続して選択される２つのロウ電極（走査線）のうち、最初に選択されるロウ電極の選択期間には、非発光状態、リセット状態、発光状態の順に有機ＥＬ素子を駆動し、その次に選択されるロウ電極の選択期間には、発光状態、非発光状態の順に有機ＥＬ素子を駆動することを特徴としている。
【０２２２】
なお、図１４のタイミングチャートに示すように、ロウ電極Ｒ３の次に選択されるロウ電極Ｒ４の選択期間では、ロウ電極Ｒ２の選択期間と同様に、発光状態、非発光状態の順に駆動される。
【０２２３】
すなわち、本実施の形態に係る有機ＥＬ素子の駆動方法は、連続して選択される前記２つのロウ電極に対応する選択期間２つ分に相当する期間を１ブロックとして、２ロウ電極毎に１ブロックを繰り返して有機ＥＬ素子を駆動することを特徴としている。
【０２２４】
以下に、本実施の形態の駆動方法における各状態について詳細に説明する。
【０２２５】
図１５の状態１は、非発光状態を示している。この非発光状態では、選択線であるロウ電極Ｒ１を所定の電位VR-Highに接続し、カラム電極Ｃ１を電位Ｖc-Lowに接続することによって、有機ＥＬ素子ＯＥＬ（Ｃ１，Ｒ１）の接合容量に蓄積されている電荷を放電し、有機ＥＬ素子ＯＥＬ（Ｃ１，Ｒ１）を非発光状態としている。ここで、電位Ｖc-Low（第２の電位）は、有機ＥＬ素子ＯＥＬの閾値電圧を越えない電位に設定されている。
【０２２６】
すなわち、本実施の形態に係る電流駆動型の表示素子の駆動方法においては、特許文献２とは異なり、最初に選択される走査線（ロウ電極Ｒ１）の選択期間において、有機ＥＬ素子ＯＥＬ（Ｃ１，Ｒ１）の駆動を非発光状態から開始する点が特徴的である。
【０２２７】
図１５の状態２は、表示素子の発光準備状態であるリセット状態（プリチャージ状態）を示している。このリセット状態では、カラム電極Ｃ１をプリチャージ電位である第１の電位Ｖpcの端子に接続し、ロウ電極を電位VR-Highに接続することによって、有機ＥＬ素子のアノード（陽極）側が第１の電位Ｖpcに迅速に充電される（プリチャージ）。ここで、電位VR-Highは、状態３の有機ＥＬ素子に印加される電圧（陽極電位と陰極電位との差）が閾値電圧を越えないような電圧に設定されている。したがって、カラム電極Ｃ１とロウ電極Ｒ１との交差部に配される有機ＥＬ素子ＯＥＬ（Ｃ１，Ｒ１）は発光しない。
【０２２８】
すなわち、電位VR-Highは、下記の式（１）を満たすように設定される。
【０２２９】
Ｖth ＞ Ｖpc − VR-High                          …（１）
ここで、Ｖthは有機ＥＬ素子の閾値電圧を表す。また、電位Ｖpcは有機ＥＬ素子の接合容量を充電する第１の電位（陽極側の電位）であり、Ｖthを越える値に設定される。
【０２３０】
図１５の状態３は、発光状態を示している。この状態３は、カラム電極Ｃ１とロウ電極Ｒ１との交差部に配される有機ＥＬ素子ＯＥＬ（Ｃ１，Ｒ１）が点灯している状態を示しており、選択線であるロウ電極Ｒ１は接地される一方、非選択線であるロウ電極Ｒ１以外のロウ電極Ｒ２、Ｒ３、・・・Ｒｎは、電位VR-Highに引き上げられたままの状態で維持される。一方、カラム電極Ｃ１は定電流源ＣＳに接続され、所定の電流が流れる電位になっている。したがって、この状態３では、カラム電極Ｃ１とロウ電極Ｒ１との交差部に配される有機ＥＬ素子ＯＥＬ（Ｃ１，Ｒ１）は、順バイアス状態となっているため発光し、それ以外の有機ＥＬ素子ＯＥＬは、逆バイアス状態となっているため非発光となる。
【０２３１】
上記のように、図１５の状態２および状態３では、図２４に示す特許文献２の状態１（プリチャージ状態）および状態２（発光状態）と同様の操作を行って、有機ＥＬ素子ＯＥＬ（Ｃ１，Ｒ１）の接合容量を放電および充電しながら、有機ＥＬ素子ＯＥＬ（Ｃ１，Ｒ１）を発光させている。
【０２３２】
次の図１６に示す状態４は、発光状態を示している。この発光状態では、カラム電極Ｃ１を定電流源ＣＳに接続した状態で維持する一方、ロウ電極Ｒ１を電位VR-Highに引き上げ、且つロウ電極Ｒ２を接地することで、カラム電極Ｃ１とロウ電極Ｒ２との交差部に配置されている有機ＥＬ素子ＯＥＬ（Ｃ１，Ｒ２）を発光させている。
【０２３３】
次の図１６の状態５は、非発光状態を示している。この非発光状態では、ロウ電極Ｒ２を電位VR-Highに引き上げ、カラム電極Ｃ１を電位Ｖc-Lowに接続することによって、有機ＥＬ素子ＯＥＬ（Ｃ１，Ｒ２）の接合容量に蓄積されている電荷を放電し、有機ＥＬ素子ＯＥＬ（Ｃ１，Ｒ２）を非発光状態としている。
【０２３４】
次の図１６の状態６では、直前に選択されたロウ電極Ｒ２の選択期間の最後に実行された状態３（非発光状態）が維持継続される。すなわち、次に選択されるロウ電極Ｒ３の選択期間の最初に、カラム電極Ｃ１とロウ電極Ｒ３との交差部に配置されている有機ＥＬ素子ＯＥＬ（Ｃ１，Ｒ３）を非発光状態とする駆動（表示素子の状態の維持駆動）が行われる。
【０２３５】
なお、階調特性の取り方を、図１５の状態１ないし状態３（非発光状態、リセット状態、発光状態）、図１６の状態４、状態５（発光状態、非発光状態）および図１７の状態６ないし状態８（非発光状態、リセット状態発光状態）を参照しながら説明する。図１５ないし図１７の発光期間（状態３、状態４、状態８の各期間）を増加する（期間が長くなる）と、非発光期間（状態１、状態５、状態６の各期間）は、それぞれ発光期間の増加分だけ減少する（期間が短くなる）。したがって、輝度が増加し、高階調となる。逆に、発光期間（状態３、状態４、状態８の各期間）の期間が減少する（期間が短くなる）と、非発光状態（状態１、状態５、状態６の各期間）は、それぞれ発光期間の増加分だけ増加する（期間が長くなる）。したがって、この場合、輝度が減少し、低階調となる。
【０２３６】
本実施の形態に係る電流駆動型の表示素子の駆動方法は、特許文献２における駆動方法とは、図２４に示される特許文献２における状態１（リセット状態）、状態２（発光状態）、状態３（非発光状態）の状態の順序および図２６に示す状態７（リセット状態）、状態８（発光状態）、状態９（非発光状態）の状態の順序が異なり、且つ、図２５に示される特許文献１におけるリセット状態（状態４）が省略されているところも異なる。
【０２３７】
図１５のロウ電極Ｒ１の選択期間の最後の発光状態（状態３）から図１６のロウ電極Ｒ２の選択期間の最初の発光状態（状態４）へ移行する際も、図１５の状態３で既にカラム電極Ｃ１を定電流源ＣＳに接続しており、図１６の状態４ではこの時点でのカラムドライバ回路２１のスイッチング動作（駆動操作）が不要となる。
【０２３８】
そして、図１６のロウ電極Ｒ２の選択期間の最初に設けられた発光状態（状態４）の前にリセット状態を設ける必要がない。すなわち、特許文献２の駆動方法における図２４のリセット状態（状態４）への切り替えを省略することができる。これにより、全てのロウ電極Ｒを接地することによって、逆バイアス状態に充電されていた有機ＥＬ素子の接合容量を、ロウ電極を通じて放電させる必要がなく、また有機ＥＬ素子の放電後に改めて発光のための有機ＥＬ素子の充電をする必要もない。つまり、カラムドライバ回路２１およびロウドライバ回路２２のスイッチング動作（駆動操作）が不要となる。
【０２３９】
図２６の非発光状態（特許文献２の状態９）と、図１７の非発光状態（状態６）とは、カラム電極Ｃ１とロウ電極Ｒ３との交差部に配置されている有機ＥＬ素子ＯＥＬ（Ｃ１，Ｒ３）を非発光としている点では同様の状態と言える。
【０２４０】
しかしながら、本実施の形態では、図１６の状態５で既にカラム電極Ｃ１を電位Ｖc-Lowに接続しており、カラム電極Ｃ１に接続されている全ての有機ＥＬ素子ＯＥＬは、接合容量に蓄積されている電荷が放電されて非発光状態となっている。このため、図１６の非発光状態（状態６）では、特許文献２の駆動方法における図２６に示す状態９のようにカラム電極Ｃ１をこの時点で電位Ｖc-Lowに接続し、電荷を再度放電する必要がない。このため、図１６のロウ電極Ｒ２の選択期間の非発光状態（状態５）から図１７のロウ電極Ｒ３の選択期間の非発光状態（状態６）へ移行する際の、カラムドライバ回路２１およびロウドライバ回路２２の一切のスイッチング動作（駆動操作）が不要となる。
【０２４１】
これにより、一の走査線の選択期間の非発光状態から次に選択される走査線の選択期間の非発光状態へ移行する際、有機ＥＬ素子ＯＥＬ（表示素子）の持つ容量への充放電を省略することができる。
【０２４２】
以上のように、本実施の形態にかかる有機ＥＬ素子の駆動方法は、マトリクス状に配された複数のロウ電極（走査線）とカラム電極（信号線）との各交差部に設けられた有機ＥＬ素子の駆動方法であって、前記複数のロウ電極の各選択期間中に、前記有機ＥＬ素子の発光状態と非発光状態とを時分割で切り換えながら前記有機ＥＬ素子を駆動する有機ＥＬ素子の駆動方法において、連続して選択される２つのロウ電極のうち、最初に選択されるロウ電極の選択期間の最後を非発光状態とする場合は、次に選択されるロウ電極の選択期間の最初も非発光状態となる一方、最初に選択されるロウ電極の選択期間の最後を発光状態とする場合は、次に選択されるロウ電極の選択期間の最初も発光状態となるように前記表示素子を駆動することを特徴としている。
【０２４３】
上記構成によれば、連続して選択される２つのロウ電極のうち、最初に選択されるロウ電極の選択期間において、最後が非発光状態の場合は、次に選択されるロウ電極の選択期間の最初も非発光状態となる。また、最初に選択されるロウ電極の選択期間の最後が発光状態の場合は、次に選択されるロウ電極の選択期間の最初も発光状態となる。このように表示素子を駆動することにより、一の走査線の選択期間の非発光状態から次に選択される走査線の選択期間の非発光状態へ移行する際、および一の走査線の選択期間の発光状態から次に選択される走査線の選択期間の発光状態へ移行する際、表示素子の持つ容量への充放電を省略することができる。この結果、表示素子の駆動時における表示素子の持つ容量への充放電回数を削減することができ、ひいては表示素子駆動時の消費電力の増大を抑制することができる。
【０２４４】
また、連続して選択される２つのロウ電極のうち、最初に選択されるロウ電極の選択期間には、非発光状態、リセット状態、発光状態の順に有機ＥＬ素子を駆動し、その次に選択されるロウ電極の選択期間には、発光状態、非発光状態の順に有機ＥＬ素子を駆動する構成としている。
【０２４５】
上記の構成によれば、連続して選択される２つのロウ電極のうち、最初に選択されるロウ電極の選択期間の発光期間から次に選択されるロウ電極の選択期間の発光期間へ移行する際のスイッチ動作が不要となる。このため、選択期間中の有機ＥＬ素子の接合容量の充放電の繰り返しを減少させることができる。この結果、従来の構成に比べ、ロウ電極を駆動するロウドライバ回路およびカラム電極を駆動するカラムドライバ回路の駆動頻度を減少させることができ、消費電力の抑制を図ることができる。
【０２４６】
上記の有機ＥＬ素子の駆動方法は、連続して選択される２つのロウ電極に対応する選択期間２つ分に相当する期間を１ブロックとして、２走査線毎に１ブロックを繰り返して表示素子を駆動する構成としている。
【０２４７】
上記の構成によれば、各走査線毎に同じ駆動操作を繰り返す従来の駆動方法に比べ、カラムドライバ回路及びロウドライバ回路の駆動回数を削減することができる。この結果、選択期間中の表示素子の接合容量の充放電の回数を削減でき、消費電力の抑制を図ることができる。
【０２４８】
上記の構成によれば、各ロウ電極毎に同じ駆動操作を繰り返す従来の駆動方法に比べ、カラムドライバ回路及びロウドライバ回路の走査回数を削減することができる。この結果、選択期間中の有機ＥＬ素子の接合容量の充放電の回数を削減でき、消費電力の抑制を図ることができる。
【０２４９】
本実施の形態に係る有機ＥＬ素子の駆動方法は、前記最初に選択されるロウ電極の選択期間の最後の非発光状態から、次に選択されるロウ電極の選択期間の最初の非発光状態へ移行するとき、前記ロウ電極を駆動するロウドライバ回路の駆動状態およびカラム電極を駆動するカラムドライバ回路の駆動状態を、該移行の前後で変化させずにそのまま維持する構成とすることが望ましい。
【０２５０】
上記の構成によれば、一のロウ電極の選択期間から次に選択されるロウ電極の選択期間への移行の際に、上記カラムドライバ回路の駆動状態およびロウドライバ回路の駆動状態は、変化させずにそのまま維持される。したがって、従来の駆動方法に比べて、カラムドライバ回路およびロウドライバ回路の操作回数を削減することができる。この結果、消費電力の低減を図ることができる。
【０２５１】
本実施の形態では、発光状態の直前に設けられる前記リセット状態では、前記有機ＥＬ素子を発光させない状態で前記有機ＥＬ素子の持つ接合容量を所定の電位に充電するように有機ＥＬ素子を駆動する構成としている。
【０２５２】
しかしながら、本発明はこれに限らず、例えば、前述の実施の形態１および３のように、発光状態の直前に設けられる前記リセット状態では、有機ＥＬ素子の持つ接合容量に蓄積された電荷を放電するように表示素子を駆動する構成としてもよい。
【０２５３】
本実施の形態に係る有機ＥＬ素子の駆動方法は、前記リセット状態における前記第１の電位は、前記表示素子の閾値電圧以上の値に設定されている。
【０２５４】
これにより、前記発光期間に先立って有機ＥＬ素子の接合容量を充電できるため、表示素子の選択期間における応答速度を向上させて、階調表示に必要な信号時間幅分の動作期間を確保することができ、表示画質の向上を図ることができる。
【０２５５】
また、非発光状態では、選択期間中の有機ＥＬ素子を該有機ＥＬ素子の閾値電圧を越えない第２の電位に充電するように表示素子を駆動する構成としている。
【０２５６】
これにより、非発光期間において、に前記電流駆動型表示素子の接合容量の放電を行う際、電圧の振り幅を押さえることができるため、消費電力を抑制できる。
【０２５７】
本実施の形態に係る有機ＥＬ素子の駆動装置は、マトリクス状に配された複数のロウ電極とカラム電極との各交差部に設けられた有機ＥＬ素子の駆動装置であって、前記複数のロウ電極の各選択期間に、前記有機ＥＬ素子の発光状態と非発光状態とが実行される電流有機ＥＬ素子の駆動装置において、連続して選択される２つの有機ＥＬ素子のうち、最初に選択されるロウ電極の選択期間の最後を非発光状態とする場合は、次に選択されるロウ電極の選択期間の最初も非発光状態となる一方、最初に選択される有機ＥＬ素子の選択期間の最後を発光状態とする場合は、次に選択される有機ＥＬ素子の選択期間の最初も発光状態となるように前記有機ＥＬ素子を駆動する制御回路（制御手段）を備えることを特徴としている。
【０２５８】
上記構成によれば、連続して選択される２つのロウ電極のうち、最初に選択されるロウ電極の選択期間において、最後が非発光状態の場合は、次に選択されるロウ電極の選択期間の最初も非発光状態となる。また、最初に選択されるロウ電極の選択期間の最後が発光状態の場合は、次に選択されるロウ電極の選択期間の最初も発光状態となる。このように有機ＥＬ素子を駆動することにより、一のロウ電極の選択期間の非発光状態から次に選択されるロウ電極の選択期間の非発光状態へ移行する際、および一のロウ電極の選択期間の発光状態から次に選択されるロウ電極の選択期間の発光状態へ移行する際、有機ＥＬ素子の持つ接合容量への充放電を省略することができる。この結果、有機ＥＬ素子の駆動時における有機ＥＬ素子の持つ接合容量への充放電回数を削減することができ、ひいては表示素子駆動時の消費電力の増大を抑制することができる。
【０２５９】
ところで、上記有機ＥＬ素子の駆動装置は、ハードウェアで実現してもよいし、プログラムをコンピュータに実行させることによって実現してもよい。
【０２６０】
具体的には、本発明の駆動装置の動作を制御する制御プログラムは、コンピュータを上記制御手段として機能させる制御プログラムである。
【０２６１】
〔実施の形態５〕
本実施の形態では、本発明の階調制御法として好適なパルス幅変調法を実施の形態２の駆動法に沿って図１８（ａ）ないし図１８（ｃ）を参照し以下に説明する。
【０２６２】
図１８（ａ）ないし図１８（ｃ）は、前述の実施の形態２の駆動方法における図７の状態１ないし状態３を実行した時のカラム電極Ｃ１とロウ電極Ｒ１との交差部に配される有機ＥＬ素子ＯＥＬ（Ｃ１，Ｒ１）に流れる電流波形を示している。
【０２６３】
図１８（ａ）ないし図１８（ｃ）の波形図は、立ち上がりのタイミングは同一とし、それぞれ立下りのタイミングを異ならせて有機ＥＬ素子ＯＥＬの発光期間、非発光期間を変化させた場合を示している。
【０２６４】
すなわち、図１８（ａ）の場合は、図中曲線で示すように、発光期間が一番短く設定されており、図１８（ｂ）の場合は、発光期間が図１８（ａ）の場合よりも長く設定されており、図１８（ｃ）の場合は、発光期間が一番長く設定されている。
【０２６５】
すなわち、図１８（ａ）、図１８（ｂ）、図１８（ｃ）の順に、発光期間は長くなり、逆に非発光期間は短くなる。このように、前記発光期間を長くする程、輝度も増加し、高階調となる。逆に、発光期間が減少する程、輝度も減少し、低階調となる。
【０２６６】
以上のように、本実施の形態に係る有機ＥＬ素子の駆動方法は、発光状態では、前記表示信号に含まれる輝度階調成分に応じたパルス幅変調制御に基づいて、駆動電流を前記表示素子に供給する構成としている。
【０２６７】
パルス振幅変調（ＰＡＭ）制御を行う場合には、輝度（電流）の振幅を変えることによって階調制御を行うため、表示信号によっては、最初に選択されるロウ電極の最後の状態の駆動動作と、２番目に選択されるロウ電極の最初の状態の駆動とが連続とならない、または３番目に選択されるロウ電極の最後の駆動と、３番目に選択されるロウ電極の最初の状態の駆動も連続とならない場合がある。
【０２６８】
したがって、輝度（電流）の振幅が表示信号に依存せず、発光時間が表示信号に依存するパルス幅変調（ＰＷＭ）制御を用いることが好適である。
【０２６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２７０】
上述した各実施の形態では、有機エレクトロルミネッセンス素子の駆動装置および駆動方法について説明したが、本発明は、フィールドエミッションディスプレイ（ＦＥＤ：Field Emission Display）等の他の電流駆動型の表示素子の駆動装置および駆動方法にも適応可能である。
【産業上の利用可能性】
【０２７１】
本発明の表示装置の駆動法は、電流駆動型表示素子の接合容量の充放電に伴う走査駆動回路及び信号駆動回路の操作回数を削減することができ、消費電力を抑制することができる表示装置の駆動方法として好適である。
【図面の簡単な説明】
【０２７２】
【図１】本発明の一実施の形態に係るパッシブマトリクス駆動法による有機ＥＬ素子の駆動方法を示すタイミングチャートである。
【図２】本発明の図１に示すパッシブマトリクス駆動法による有機ＥＬ素子に流れる電流波形を示す説明図である。
【図３】本発明の図１に示すパッシブマトリクス駆動法による有機ＥＬ素子の駆動方法を示す説明図である。
【図４】本発明の図１に示すパッシブマトリクス駆動法による有機ＥＬ素子の駆動方法を示す説明図である。
【図５】本発明の表示装置の概略構成を示す説明図である。
【図６】本発明の他の実施の形態に係るパッシブマトリクス駆動法による有機ＥＬ素子の駆動方法を示すタイミングチャートである。
【図７】本発明の図６に示すパッシブマトリクス駆動法による有機ＥＬ素子の駆動方法を示す説明図である。
【図８】本発明の図６に示すパッシブマトリクス駆動法による有機ＥＬ素子の駆動方法を示す説明図である。
【図９】本発明の図６に示すパッシブマトリクス駆動法による有機ＥＬ素子の駆動方法を示す説明図である。
【図１０】本発明のさらに他の実施の形態に係るパッシブマトリクス駆動法による有機ＥＬ素子の駆動方法を示すタイミングチャートである。
【図１１】本発明の図１０に示すパッシブマトリクス駆動法による有機ＥＬ素子の駆動方法を示す説明図である。
【図１２】本発明の図１０に示すパッシブマトリクス駆動法による有機ＥＬ素子の駆動方法を示す説明図である。
【図１３】本発明の図１０に示すパッシブマトリクス駆動法による有機ＥＬ素子の駆動方法を示す説明図である。
【図１４】本発明のさらに他の実施の形態に係るパッシブマトリクス駆動法による有機ＥＬ素子の駆動方法を示すタイミングチャートである。
【図１５】本発明の図１４に示すパッシブマトリクス駆動法による有機ＥＬ素子の駆動方法を示す説明図である。
【図１６】本発明の図１４に示すパッシブマトリクス駆動法による有機ＥＬ素子の駆動方法を示す説明図である。
【図１７】本発明の図１４に示すパッシブマトリクス駆動法による有機ＥＬ素子の駆動方法を示す説明図である。
【図１８】本発明のさらに他の実施の形態に係るパッシブマトリクス駆動法による有機ＥＬ素子に流れる電流波形を説明する説明図である。
【図１９】従来のパッシブマトリクス駆動法による有機ＥＬ素子の駆動方法を示すタイミングチャートである。
【図２０】図１９に示す従来のパッシブマトリクス駆動法による有機ＥＬ素子の駆動方法を示す説明図である。
【図２１】図１９に示す従来のパッシブマトリクス駆動法による有機ＥＬ素子の駆動方法を示す説明図である。
【図２２】図１９に示す従来のパッシブマトリクス駆動法による有機ＥＬ素子の駆動方法を示す説明図である。
【図２３】従来の他のパッシブマトリクス駆動法による有機ＥＬ素子の駆動方法を示すタイミングチャートである。
【図２４】図２３に示す従来のパッシブマトリクス駆動法による有機ＥＬ素子の駆動方法を示す説明図である。
【図２５】図２３に示す従来のパッシブマトリクス駆動法による有機ＥＬ素子の駆動方法を示す説明図である。
【図２６】図２３に示す従来のパッシブマトリクス駆動法による有機ＥＬ素子の駆動方法を示す説明図である。
【符号の説明】
【０２７３】
１        ディスプレイ装置
１０        表示パネル
１１        カラムドライバ回路（走査駆動回路）
１２        ロウドライバ回路（信号駆動回路）
１３        制御回路（制御手段）
２１        カラムドライバ回路（走査駆動回路）
２２        ロウドライバ回路（信号駆動回路）
Ｒ        ロウ電極（走査線）
Ｃ        カラム電極（信号線）
ＯＥＬ        有機ＥＬ素子
Ｖpc        プリチャージ電位（第１の電位）
Ｖc-Low     第２の電位
【図１】
2007219135.tif 000003
【図２】
2007219135.tif 000004
【図３】
2007219135.tif 000005
【図４】
2007219135.tif 000006
【図５】
2007219135.tif 000007
【図６】
2007219135.tif 000008
【図７】
2007219135.tif 000009
【図８】
2007219135.tif 000010
【図９】
2007219135.tif 000011
【図１０】
2007219135.tif 000012
【図１１】
2007219135.tif 000013
【図１２】
2007219135.tif 000014
【図１３】
2007219135.tif 000015
【図１４】
2007219135.tif 000016
【図１５】
2007219135.tif 000017
【図１６】
2007219135.tif 000018
【図１７】
2007219135.tif 000019
【図１８】
2007219135.tif 000020
【図１９】
2007219135.tif 000021
【図２０】
2007219135.tif 000022
【図２１】
2007219135.tif 000023
【図２２】
2007219135.tif 000024
【図２３】
2007219135.tif 000025
【図２４】
2007219135.tif 000026
【図２５】
2007219135.tif 000027
【図２６】
2007219135.tif 000028